(57)【要約】  無線端末の伝送電力の制御を容易にするシステムおよび方法が記載されている。ダウンリンク電力制御チャネルセグメントは、第１成分および第２成分を備え得る直交周波数分割多重（ＯＦＤＭ）トーン記号を含み得る。例えば、第１成分は同相（Ｉ）成分、第２成分は直交（Ｑ）成分とすることができる。電力コマンドは、第１成分で送信され得る。さらに、無線端末に関する情報は、第２成分で送信され得る。無線端末に関する情報は、例えば、無線端末に関するスクランブルマスクの一部分とすることができる。
2009544238.tif 000002
【特許請求の範囲】
【請求項１】
伝送電力の制御、および第１無線端末の切断状態の検出を容易にする方法であって、
伝送ユニットの第１の所定サブセットおよび前記伝送ユニットの第２の所定サブセットに関連付けられている少なくとも１つのＯＮ識別子を前記第１無線端末に割り当てることと、
前記伝送ユニットの第１サブセットのうちの少なくとも１つの伝送ユニットで電力コマンドを送信することと、
前記伝送ユニットの第２サブセットのうちの少なくとも１つの伝送ユニットで、前記第１無線端末の端末識別子に応じて、情報を送信することと、
を備える方法。
【請求項２】
前記伝送ユニットが、直交周波数分割多重（ＯＦＤＭ）記号周期におけるトーンである請求項１に記載の方法。
【請求項３】
前記第２サブセットが前記第１サブセットの所定のサブセットである請求項２に記載の方法。
【請求項４】
前記伝送ユニットの第２サブセットに含まれる特定の伝送ユニットの同相成分および直交成分のうちの少なくとも一方で前記電力コマンドを送信することと、
前記同じ特定の伝送ユニットの前記同相成分および直交成分のうちの他方で前記情報を送信することと、
をさらに備える請求項３に記載の方法。
【請求項５】
前記伝送ユニットが前記伝送ユニットの第１サブセットに属し、前記伝送ユニットの第２サブセットに属していないとき、前記特定の伝送ユニットの前記同相成分および前記直交成分のうちの前記少なくとも一方で、あるエネルギーレベルで、前記電力コマンドを送信することと、
前記同じ特定の伝送ユニットの前記同相成分および直交成分のうちの他方で前記エネルギーレベルの２０％未満を送信することと、
をさらに備える請求項４に記載の方法。
【請求項６】
前記端末識別子がスクランブルマスクである請求項４に記載の方法。
【請求項７】
前記情報が前記スクランブルマスクの少なくとも１ビットを備え、前記スクランブルマスク内の前記少なくとも１ビットのビット位置が、前記特定の伝送ユニットに応じて決まる請求項６に記載の方法。
【請求項８】
前記第１サブセットの前記伝送ユニットが、前記第２サブセットの前記伝送ユニットの少なくとも２倍である請求項３に記載の方法。
【請求項９】
前記第１サブセットの前記伝送ユニットが、前記第２サブセットの前記伝送ユニットの８倍である請求項８に記載の方法。
【請求項１０】
前記端末識別子を前記第１無線端末に割り当てること、をさらに備える請求項４に記載の方法。
【請求項１１】
前記ＯＮ識別子および端末識別子を前記第１無線端末から取り除くことと、
前記ＯＮ識別子を第２無線端末に割り当てることと、
前記端末識別子を前記第２端末とは異なる第３無線端末に割り当てることと、
をさらに備える請求項１０に記載の方法。
【請求項１２】
前記第１サブセットの前記伝送ユニットが、時間の昇順で配列され、前記第２サブセットが、前記第１サブセットのＮ個（Ｎは１より大きい整数）の配列された伝送ユニットのうちの１つの伝送ユニットを備える請求項３に記載の方法。
【請求項１３】
前記第１サブセットおよび前記第２サブセットが前記無線端末の専用である請求項１に記載の方法。
【請求項１４】
無線端末に関する端末識別子、および前記無線端末に割り当てられている少なくとも１つのＯＮ識別子を保持するよう構成されているメモリであって、前記少なくとも１つのＯＮ識別子が伝送ユニットの第１の所定サブセットおよび前記伝送ユニットの第２の所定サブセットに関連付けられているメモリと、
前記伝送ユニットの第１サブセットのうちの少なくとも１つの伝送ユニットで電力コマンドを送出し、前記伝送ユニットの第２サブセットのうちの少なくとも１つの伝送ユニットで前記端末識別子からの情報を送信するよう構成されているプロセッサと、
を備える無線通信装置。
【請求項１５】
前記伝送ユニットが、直交周波数分割多重（ＯＦＤＭ）記号周期におけるトーンである請求項１４に記載の無線通信装置。
【請求項１６】
前記第２サブセットが前記第１サブセットの所定のサブセットである請求項１４に記載の無線通信装置。
【請求項１７】
前記第１サブセットが、前記第２サブセットと比較して少なくとも２倍の伝送ユニットを含む請求項１６に記載の無線通信装置。
【請求項１８】
前記第１サブセットが、前記第２サブセットに含まれる伝送ユニットの８倍の伝送ユニットを備える請求項１６に記載の無線通信装置。
【請求項１９】
前記プロセッサが、同相成分および直交成分のうちの一方で前記電力コマンドを送信し、前記伝送ユニットの第２サブセットに備えられる共通伝送ユニット内の前記同相成分および前記直交成分のうちの他方で前記情報を送信する請求項１４に記載の無線通信装置。
【請求項２０】
前記伝送ユニットの第１サブセットが前記共通伝送ユニットを備え、前記伝送ユニットの第２サブセットが前記共通伝送ユニットを備えていないとき、前記プロセッサが、共通伝送ユニットの同相成分および直交成分のうちの一方で、あるエネルギーレベルで、前記電力コマンドを送信し、前記プロセッサが、前記共通伝送ユニットの前記同相成分および前記直交成分のうちの他方で前記エネルギーレベルの２０％未満を送信する請求項１４に記載の無線通信装置。
【請求項２１】
前記プロセッサが、スクランブルマスクの少なくとも１ビットを含む前記端末識別子からの情報を送信し、前記スクランブルマスク内の前記少なくとも１ビットのビット位置が関連の伝送ユニットに少なくとも一部分基づく請求項１４に記載の無線通信装置。
【請求項２２】
前記プロセッサが、前記端末識別子を前記無線端末に割り当てる請求項１４に記載の無線通信装置。
【請求項２３】
識別を検証し、無線端末の伝送電力を制御するための無線通信装置であって、
ＯＮ識別子を前記無線端末に割り当てるための手段であって、前記ＯＮ識別子が伝送ユニットの第１の所定サブセットおよび前記伝送ユニットの第２の所定サブセットに関連付けられる手段と、
前記伝送ユニットの前記第１サブセットのうちの少なくとも１つの伝送ユニットで電力コマンドを送信するための手段と、
前記伝送ユニットの前記第２サブセットの少なくとも１つの伝送ユニットで、端末識別子に基づいて前記無線端末に関する情報を送信するための手段と、
を備える無線通信装置。
【請求項２４】
前記伝送ユニットの第２サブセットからの共通伝送ユニットの同相成分および直交成分のうちの一方で前記電力コマンドを送信するための手段と、
前記共通伝送ユニットの前記同相成分および前記直交成分のうちの他方で前記情報を送信するための手段と、
をさらに備える請求項２３に記載の無線通信装置。
【請求項２５】
前記第１サブセットが前記特定の伝送ユニットを含むとき、特定の伝送ユニットの同相成分および直交成分のうちの一方で、あるエネルギーレベルで、前記電力コマンドを送信するための手段と、
前記同相成分および前記直交成分のうちの他方で、減少したエネルギーレベルで送信するための手段と、
をさらに備える請求項２３に記載の無線通信装置。
【請求項２６】
前記端末識別子がスクランブルマスクであり、前記無線端末に関する前記情報が、前記スクランブルマスクの少なくとも１ビットを含む請求項２３に記載の無線通信装置。
【請求項２７】
伝送ユニットの第１の所定サブセットおよび前記伝送ユニットの第２の所定サブセットに関するＯＮ識別子を無線端末に割り当てる旨の第１命令セットと、
前記伝送ユニットの第１サブセットのうちの少なくとも１つの伝送ユニットで電力コマンドを送出する旨の第２命令セットと、
前記伝送ユニットの第２サブセットのうちの少なくとも１つの伝送ユニットで、端末識別子に基づいて前記無線端末に関連する情報の伝送をもたらす旨の第３命令セットと、
を備える機械で実行可能な命令を格納する機械可読媒体。
【請求項２８】
前記少なくとも１つの伝送ユニットの同相成分および直交成分のうちの一方で前記電力コマンドを送出する旨の第４の命令セットであって、前記少なくとも１つの伝送ユニットが前記伝送ユニットの第２サブセットに含まれる第４の命令セットと、
前記同じ少なくとも１つの伝送ユニットの前記同相成分および前記直交成分のうちの他方で前記情報の伝送をもたらす旨の第５の命令セットと、
をさらに備える請求項２７に記載の機械可読媒体。
【請求項２９】
前記端末識別子がスクランブルマスクであり、前記情報が、前記少なくとも１つの伝送ユニットに関連するインデックスに基づいて選択された前記スクランブルマスクの１つまたは複数のビットである請求項２７に記載の機械可読媒体。
【請求項３０】
伝送ユニットの第１の所定サブセットおよび伝送ユニットの第２の所定サブセットに関連するＯＮ識別子を無線端末に割り当てる命令と、
前記伝送ユニットの第１サブセットのうちの少なくとも１つの伝送ユニットで電力コマンドを送信する命令と、
前記伝送ユニットの第２サブセットのうちの少なくとも１つの伝送ユニットで、前記無線端末の端末識別子に少なくとも一部分基づいて情報を送信する命令と、
を実行するプロセッサ。
【請求項３１】
前記第１サブセットの前記伝送ユニットが、前記第２サブセットの前記伝送ユニットの少なくとも２倍である請求項３０に記載のプロセッサ。
【請求項３２】
前記第１サブセットの前記伝送ユニットが、前記第２サブセットの前記伝送ユニットの８倍である請求項３０に記載のプロセッサ。
【請求項３３】
無線端末固有の電力制御情報の評価を容易にする方法であって、
伝送ユニットの第１の所定サブセットおよび伝送ユニットの第２の所定サブセットを割り当てるＯＮ識別子を受信することと、
前記伝送ユニットの第１サブセットのうちの少なくとも１つの伝送ユニットで電力コマンドを受信することと、
前記伝送ユニットの第２サブセットのうちの少なくとも１つの伝送ユニットで、前記無線端末に関する端末識別子に少なくとも一部分基づいて情報を受信することと、
前記無線端末に関する前記受信された情報を前記無線端末に関する予想される情報と比較することと、
前記受信された情報が前記予想される情報と一致するとき、前記電力コマンドに基づいて電力レベルを調整することと、
を備える方法。
【請求項３４】
前記伝送ユニットが、直交周波数分割多重（ＯＦＤＭ）記号周期におけるトーンである請求項３３に記載の方法。
【請求項３５】
前記第２サブセットが前記第１サブセットの所定のサブセットである請求項３３に記載の方法。
【請求項３６】
前記伝送ユニットの第２サブセットに含まれる特定の伝送ユニットの同相成分および直交成分のうちの一方で前記電力コマンドを受信することと、
前記同じ特定の伝送ユニットの前記同相成分および前記直交成分のうちの他方で前記情報を受信することと、
をさらに備える請求項３３に記載の方法。
【請求項３７】
前記伝送ユニットが前記伝送ユニットの第１サブセットに属し、前記伝送ユニットの第２サブセットに属していないとき、特定の伝送ユニットの同相成分および直交成分のうちの一方で、あるエネルギーレベルで、前記電力コマンドを受信することと、
前記同じ特定の伝送ユニットの前記同相成分および前記直交成分のうちの他方で前記エネルギーレベルの２０％未満を受信することと、
をさらに備える請求項３３に記載の方法。
【請求項３８】
前記端末識別子がスクランブルマスクである請求項３３に記載の方法。
【請求項３９】
前記情報が前記スクランブルマスクの少なくとも１ビットを備え、前記スクランブルマスク内の前記１ビットのビット位置が、伝送ユニットに応じて決まる請求項３８に記載の方法。
【請求項４０】
前記第１サブセットの前記伝送ユニットが、前記第２サブセットの前記伝送ユニットの少なくとも２倍である請求項３３に記載の方法。
【請求項４１】
前記第１サブセットの前記伝送ユニットが、前記第２サブセットの前記伝送ユニットの８倍である請求項３３に記載の方法。
【請求項４２】
前記受信された情報が予想される情報と一致しないとき、誤り回復を行うことをさらに備える請求項３３に記載の方法。
【請求項４３】
誤り回復が、基地局からの切断、およびセッションＯＮからセッションＨＯＬＤへの移行のうちの少なくとも一方を備える請求項４２に記載の方法。
【請求項４４】
無線端末に対応する予想される端末識別子、および伝送ユニットの第１の所定サブセットおよび伝送ユニットの第２の所定サブセットに関連付けられているＯＮ識別子を保持するメモリと、
前記伝送ユニットの第１サブセットのうちの少なくとも１つの伝送ユニットで電力コマンドを受信し、前記伝送ユニットの第２サブセットの少なくとも１つの伝送ユニットで端末識別子に基づいて情報を受信し、前記受信された情報を、前記予想される端末識別子に関する予想される情報と比較し、前記比較に基づいて電力レベルを調整するプロセッサと、
を備える無線通信装置。
【請求項４５】
前記受信された情報が関連する前記予想される情報と一致しないとき、前記プロセッサが誤り回復をさらに行う請求項４４に記載の無線通信装置。
【請求項４６】
誤り回復が、基地局からの切断、およびセッションＯＮからセッションＨＯＬＤへの移行のうちの少なくとも一方を備える請求項４５に記載の無線通信装置。
【請求項４７】
前記プロセッサが、さらに、前記伝送ユニットの第２サブセットに含まれている特定の伝送ユニットの同相成分および直交成分のうちの一方で前記電力コマンドを受信し、前記同じ特定の伝送ユニットの前記同相成分および前記直交成分のうちの他方で前記情報を受信する請求項４４に記載の無線通信装置。
【請求項４８】
前記第１サブセットの前記伝送ユニットが、前記第２サブセットの前記伝送ユニットの８倍である請求項４４に記載の無線通信装置。
【請求項４９】
無線端末の伝送電力を制御するための無線通信装置であって、
伝送ユニットの第１の所定サブセットおよび前記伝送ユニットの第２の所定サブセットに関連付けられているＯＮ識別子を取得するための手段と、
前記伝送ユニットの第１サブセットのうちの少なくとも１つの伝送ユニットで電力コマンドを受信するための手段と、
前記伝送ユニットの第２サブセットのうちの少なくとも１つの伝送ユニットで、第１端末識別子に少なくとも一部分基づいて情報を受信するための手段と、
前記受信された情報が前記無線端末に関連する第２端末識別子に関する予想される情報と相関するかどうかを評価するための手段と、
前記受信された情報と前記予想される情報との間の相関がないことを識別すると、誤り回復を行うための手段と、
を備える無線通信装置。
【請求項５０】
前記伝送ユニットが、直交周波数分割多重（ＯＦＤＭ）記号周期におけるトーンである請求項４９に記載の無線通信装置。
【請求項５１】
前記伝送ユニットの第２サブセットに含まれる特定の伝送ユニットの同相成分および直交成分のうちの一方で前記電力コマンドを受信するための手段と、
前記同じ特定の伝送ユニットの前記同相成分および前記直交成分のうちの他方で前記情報を受信するための手段と、
をさらに備える請求項４９に記載の無線通信装置。
【請求項５２】
前記受信された情報が前記予想される情報と一致するとき、前記電力コマンドに基づいて、電力レベルを調整するための手段をさらに備える請求項４９に記載の無線通信装置。
【請求項５３】
伝送ユニットの第１サブセットおよび伝送ユニットの第２サブセットに関連するＯＮ識別子を取得するための第１命令セットと、
前記伝送ユニットの第１サブセットのうちの少なくとも１つの伝送ユニットを作動させる電力コマンドを受信するための第２命令セットと、
前記伝送ユニットの第２サブセットのうちの少なくとも１つの伝送ユニットで第１端末識別子に関する情報を受信するための第３命令セットと、
前記第１端末識別子に関する前記受信された情報が、第２端末識別子に関する予想される情報と一致するかどうかを決定するための第４の命令セットと、
前記受信された情報が前記予想される情報と一致しないとき、誤り回復を行うための第５の命令セットと、
を備える機械で実行可能な命令を格納する機械可読媒体。
【請求項５４】
前記伝送ユニットの第２サブセットに含まれる特定の伝送ユニットの同相成分および直交成分のうちの一方で前記電力コマンドを受信するための第６の命令セットと、
前記同じ特定の伝送ユニットの前記同相成分および前記直交成分のうちの他方で前記情報を受信するための第７の命令セットと、
をさらに備える請求項５３に記載の機械可読媒体。
【請求項５５】
前記受信された情報が前記予想される情報と一致するとき、前記機械で実行可能な命令が、前記電力コマンドに基づいて、電力レベルを変更することをさらに備える請求項５３に記載の機械可読媒体。
【請求項５６】
前記第１端末識別子が第１スクランブルマスクであり、前記第２端末識別子が第２スクランブルマスクであり、前記受信された情報が前記第１スクランブルマスクの少なくとも１ビットを備え、前記予想される情報が前記第２スクランブルマスクの少なくとも１ビットを備える請求項５３に記載の機械可読媒体。
【請求項５７】
伝送ユニットの第１の所定サブセットおよび伝送ユニットの第２の所定サブセットに関連付けられているＯＮ識別子を取得する命令と、
前記伝送ユニットの第１サブセットのうちの少なくとも１つの伝送ユニットで電力コマンドを受信する命令と、
前記伝送ユニットの第２サブセットのうちの少なくとも１つの伝送ユニットで、第１端末識別子に少なくとも一部分基づいて情報を受信する命令と、
前記第１端末識別子に関する前記受信された情報を、無線端末に割り当てられる第２端末識別子に関する予想される情報と比較する命令と、
前記受信された情報が前記予想される情報に対応している間、前記電力コマンドに基づいて電力レベルを調整する命令と、
を実行するプロセッサ。
【請求項５８】
前記第１サブセットの前記伝送ユニットが、前記第２サブセットの前記伝送ユニットの８倍である請求項５７に記載のプロセッサ。
【請求項５９】
前記受信された情報が前記予想される情報と相関しないとき、誤り回復を行う命令をさらに備える請求項５７に記載のプロセッサ。
【請求項６０】
誤り回復が、基地局からの切断、およびセッションＯＮからセッションＨＯＬＤへの移行のうちの少なくとも一方を含む請求項５９に記載のプロセッサ。
【発明の詳細な説明】
【技術分野】
【０００１】
以下の説明は、一般に無線通信に関し、より詳細には、無線通信システムにおいて、ダウンリンク電力制御チャネルを介して無線端末に関する検証情報を提供することに関する。
【背景技術】
【０００２】
無線通信システムは、様々なタイプの通信を提供するために、広範にわたって配備されており、例えば、音声および／またはデータは、こうした無線通信システムを介して提供され得る。典型的な無線通信システムまたはネットワークは、１つまたは複数の共有リソースへのアクセスを複数のユーザに提供することができる。例えば、システムは、周波数分割多重（ＦＤＭ）、時分割多重（ＴＤＭ）、符号分割多重（ＣＤＭ）など、様々な多元接続技術を使用することができる。
【０００３】
一般の無線通信システムは、適用エリア（coverage area）を提供する１つまたは複数の基地局を使用する。典型的な基地局は、ブロードキャスト、マルチキャスト、および／またはユニキャストのサービスのための複数のデータストリームを送信することができ、この場合、データストリームは、無線端末に対する単独の受信が可能なデータストリームとすることができる。複合ストリーム（composite stream）によって運ばれる１以上の、またはすべてのデータストリームを受信するために、こうした基地局の適用エリア内の無線端末が使用され得る。同様に、無線端末は、データを基地局または別の無線端末に送信することができる。
【０００４】
無線通信システムは、一般に、無線端末の電力制御を提供する。例えば、基地局は、無線端末に関する電力レベルを測定し、こうした電力レベルを調整するかどうかを評価することができる。基地局は、各無線端末に合わせた電力レベル調整の決定を行い、無線端末固有の制御情報を各無線端末に戻すことができる。しかし、無線端末のそれぞれに対応する制御情報を区別するための従来の技術は、難しく、かつ／または間違いやすい場合がある。例えば直交周波数分割多重（ＯＦＤＭ）システムにおいて、電力制御情報を異なる無線端末に提供する電力制御チャネルも同様であり得る。したがって、例えば、２つ以上の無線端末は、無線端末のうちの１つを対象とした１つのダウンリンク電力制御チャネルを介して送信された電力制御情報を不適切に取得し、復号する場合があり、したがって、その電力制御情報の対象ではない無線端末に関する電力レベルが変更される可能性がある。
【０００５】
さらに、従来の技術は、基地局および無線端末が無線端末の状態に関して同期を欠いている状況を考慮に入れていない場合がある。一例によれば、基地局は、無線端末に関する状態を変更するために、情報を無線端末に送信することができる。しかし、無線端末が送信された情報に従って状態を移行しないような誤りが生じる可能性があり、したがって、無線端末の実際の状態とその無線端末の状態の基地局のとらえ方との間に不一致が存在し得る。
【発明の概要】
【０００６】
以下は、こうした実施形態の基本的な理解を提供するために、１つまたは複数の実施形態の簡単な概略を示している。この要約は、企図されているすべての実施形態の広範な概要を示すものではなく、また、すべての実施形態の鍵となる、または重要な要素を識別するためのものではなく、任意のまたはすべての実施形態の範囲を画定するためのものでもない。単に、後述するより詳細な説明の前置きとして、１つまたは複数の実施形態の一部の概念を簡略化した形で提示するためのものである。
【０００７】
１つまたは複数の実施形態およびその対応する開示によれば、無線端末の伝送電力の制御を容易にすることに関して、様々な態様が記載されている。ダウンリンク電力制御チャネルセグメントは、第１の成分および第２の成分を備え得る直交周波数分割多重（ＯＦＤＭ）トーン記号（tone-symbol）を含み得る。例えば、第１の成分は同相（Ｉ）成分、第２の成分は直交（Ｑ）成分とすることができる。電力コマンドは、第１の成分で送信され得る。さらに、無線端末に関する情報は、第２の成分で送信され得る。無線端末に関する情報は、例えば、無線端末に関連付けられているスクランブルマスク（scrambling mask）の一部分とすることができる。
【０００８】
関連の態様によれば、本明細書には、伝送電力の制御、および第１の無線端末の切断の状態の検出を容易にする方法が記載されている。この方法は、少なくとも１つのＯＮ識別子を第１の無線端末に割り当てることを備え、少なくとも１つのＯＮ識別子は、伝送ユニットの第１の所定のサブセットおよび伝送ユニットの第２の所定のサブセットに関連付けられている。さらに、この方法は、伝送ユニットの第１のサブセットのうちの少なくとも１つの伝送ユニットで電力コマンドを送信することを含み得る。また、この方法は、伝送ユニットの第２のサブセットのうちの少なくとも１つの伝送ユニットで、第１の無線端末の端末識別子に応じて、情報を送信することも含み得る。
【０００９】
別の態様は、無線端末に関連付けられている端末識別子、および無線端末に割り当てられている少なくとも１つのＯＮ識別子を保持するメモリを含み得る無線通信装置に関し、少なくとも１つのＯＮ識別子は、伝送ユニットの第１の所定のサブセット、および伝送ユニットの第２の所定のサブセットに関連付けられている。さらに、プロセッサは、伝送ユニットの第１のサブセットのうちの少なくとも１つの伝送ユニットで電力コマンドを送信し、伝送ユニットの第２のサブセットのうちの少なくとも１つの伝送ユニットで端末識別子からの情報を送信することができる。
【００１０】
さらに別の態様は、識別を検証し、無線端末の伝送電力を制御するための無線通信装置に関する。無線通信装置は、ＯＮ識別子を無線端末に割り当てるための手段を含んでいてもよく、ＯＮ識別子は、伝送ユニットの第１の所定のサブセット、および伝送ユニットの第２の所定のサブセットに関連付けられている。さらに、無線通信装置は、伝送ユニットの第１のサブセットのうちの少なくとも１つの伝送ユニットで電力コマンドを送信するための手段と、伝送ユニットの第２のサブセットのうちの少なくとも１つの伝送ユニットで端末識別子に基づいて無線端末に関する情報を送信するための手段を備え得る。
【００１１】
さらに別の態様は、ＯＮ識別子を無線端末に割り当てるための機械で実行可能な命令を格納する機械可読媒体に関し、ＯＮ識別子は、伝送ユニットの第１の所定のサブセットおよび伝送ユニットの第２の所定のサブセットに関連付けられている。機械可読媒体は、伝送ユニットの第１のサブセットのうちの少なくとも１つの伝送ユニットで電力コマンドを送信し、伝送ユニットの第２のサブセットのうちの少なくとも１つの伝送ユニットで端末識別子に基づいて無線端末に関する情報を送信するための機械で実行可能な命令をさらに格納し得る。
【００１２】
別の態様によれば、本明細書にはプロセッサが記載されており、プロセッサは、伝送ユニットの第１の所定のサブセットおよび伝送ユニットの第２の所定のサブセットに関連するＯＮ識別子を無線端末に割り当てるための命令を実行することができる。さらに、プロセッサは、伝送ユニットの第１のサブセットのうちの少なくとも１つの伝送ユニットで電力コマンドを送信するための命令を実行し得る。さらに、プロセッサは、伝送ユニットの第２のサブセットのうちの少なくとも１つの伝送ユニットで、無線端末の端末識別子に少なくとも一部分基づいて情報を送信するための命令を実行することができる。
【００１３】
他の態様によれば、本明細書には、無線端末固有の電力制御情報の評価を容易にする方法が記載されている。この方法は、伝送ユニットの第１の所定のサブセットおよび伝送ユニットの第２の所定のサブセットを割り当てるＯＮ識別子を受信することと、伝送ユニットの第１のサブセットのうちの少なくとも１つの伝送ユニットで電力コマンドを受信することと、伝送ユニットの第２のサブセットのうちの少なくとも１つの伝送ユニットで、無線端末に関連付けられている端末識別子に少なくとも一部分基づいて情報を受信することとを含み得る。さらに、この方法は、無線端末に関する受信された情報を、無線端末に関する予想される情報と比較することと、受信された情報が予想される情報と一致するとき、電力コマンドに基づいて電力レベルを調整することとを備え得る。
【００１４】
さらに別の態様は、無線端末に対応する予想される端末識別子、および伝送ユニットの第１の所定のサブセットおよび伝送ユニットの第２の所定のサブセットに関連付けられているＯＮ識別子を保持するメモリを含み得る無線通信装置に関する。さらに、プロセッサは、伝送ユニットの第１のサブセットのうちの少なくとも１つの伝送ユニットで電力コマンドを受信し、伝送ユニットの第２のサブセットのうちの少なくとも１つの伝送ユニットで端末識別子に基づいて情報を受信し、受信された情報を、予想される端末識別子に関する予想される情報と比較し、比較に基づいて電力レベルを調整することができる。
【００１５】
別の態様は、無線端末の伝送電力を制御するための無線通信装置に関する。この無線通信装置は、伝送ユニットの第１の所定のサブセットおよび伝送ユニットの第２の所定のサブセットに関連付けられているＯＮ識別子を取得するための手段と、伝送ユニットの第１のサブセットのうちの少なくとも１つの伝送ユニットで電力コマンドを受信するための手段と、伝送ユニットの第２のサブセットのうちの少なくとも１つの伝送ユニットで、第１の端末識別子に少なくとも一部分基づいて情報を受信するための手段とを含み得る。さらに、無線通信装置は、受信された情報が無線端末に関連する第２の端末識別子に関する予想される情報と相関するかどうかを評価するための手段、および受信された情報と予想される情報との間の相関がないことを識別すると、誤り回復を行うための手段を備え得る。
【００１６】
さらに別の態様は、伝送ユニットの第１のサブセットおよび伝送ユニットの第２のサブセットに関連するＯＮ識別子を取得し、伝送ユニットの第１のサブセットのうちの少なくとも１つの伝送ユニットを作動させる電力コマンドを受信し、伝送ユニットの第２のサブセットのうちの少なくとも１つの伝送ユニットで第１の端末識別子に関する情報を受信するための機械で実行可能な命令を格納する機械可読媒体に関する。さらに、機械可読媒体は、第１の端末識別子に関する受信された情報が第２の端末識別子に関する予想される情報と一致するかどうかを決定し、受信された情報が予想される情報と一致しないとき、誤り回復を実行するための機械で実行可能な命令を格納し得る。
【００１７】
別の態様によれば、本明細書にプロセッサが記載されており、プロセッサは、伝送ユニットの第１の所定のサブセットおよび伝送ユニットの第２の所定のサブセットに関連付けられているＯＮ識別子を取得し、伝送ユニットの第１のサブセットのうちの少なくとも１つの伝送ユニットで電力コマンドを受信し、伝送ユニットの第２のサブセットのうちの少なくとも１つの伝送ユニットで、第１の端末識別子に少なくとも一部分基づいて情報を受信するための命令を実行し得る。さらに、プロセッサは、第１の端末識別子に関する受信された情報を無線端末に割り当てられた第２の端末識別子に関する予想される情報と比較し、受信された情報が予想される情報に対応している間、電力コマンドに基づいて電力レベルを調整するための命令を実行し得る。
【００１８】
上記および関連の目的を達成するために、１つまたは複数の実施形態は、以下で十分に説明され、特に特許請求の範囲に示されている特徴を備える。下記の説明および添付の図面は、１つまたは複数の実施形態のいくつかの態様例を詳しく記載している。しかし、これらの態様は、様々な実施形態の原理が使用され得る様々な方法のほんの数例を示しているにすぎず、記載された実施形態は、こうしたすべての態様およびその均等物を含むものとする。
【図面の簡単な説明】
【００１９】
【図１】本明細書に記載されている様々な態様による無線通信システムを示す図。
【図２】無線端末に関するリソースの使用を検証するために、ユーザ固有の情報の使用を容易にするシステムを示す図。
【図３】ダウンリンク電力制御チャネルを介して受信され得る複合記号（complex symbol）に関する配置例を示す図。
【図４】ダウンリンク電力制御チャネル関連のリソースを使用して無線端末の識別を検証するシステムを示す図。
【図５】ダウンリンク電力制御チャネル（ＤＬ．ＰＣＣＨ）セグメントの一例を示す図。
【図６】無線端末の伝送電力の制御を容易にする方法を示す図。
【図７】ダウンリンク電力制御チャネルリソースの使用を介して送信される記号に組み込まれるべきデータの選択を容易にする方法を示す図。
【図８】ダウンリンク電力制御チャネルを介して提供される無線端末固有の電力制御情報の評価を容易にする方法を示す図。
【図９】様々な態様に従って実装される通信システム例（移動通信網（cellular communication network）など）を示す図。
【図１０】様々な態様に関するエンドノード例（例えば移動ノード）を示す図。
【図１１】本明細書に記載されている様々な態様に従って実装されるアクセスノード例を示す図。
【図１２】識別を検証し、無線端末の伝送電力を制御するシステムを示す図。
【図１３】無線端末の伝送電力の制御を容易にするシステムを示す図。
【発明を実施するための最良の形態】
【００２０】
次に、図面を参照して様々な実施形態について説明する。全体を通して、同様の参照番号を使用して同様の要素を指す。以下の説明では、説明上、１つまたは複数の実施形態を完全に理解できるようにするために多数の特定の詳細を記載している。しかし、これらの特定の詳細無しにこうした実施形態を実施できることは明らかである。他の例では、１つまたは複数の実施形態を説明しやすくするために、よく知られている構造および装置をブロック図の形式で示している。
【００２１】
さらに、本明細書には、無線端末に関して、様々な実施形態が示されている。無線端末とは、音声および／またはデータ接続をユーザに提供する装置を指し得る。無線端末は、ラップトップコンピュータ、デスクトップコンピュータなどのコンピューティング装置に接続することができ、または、個人用デジタル補助装置（ＰＤＡ）など自立型の装置であってもよい。無線端末は、システム、加入者ユニット、加入者局、移動局、移動体、遠隔局、アクセスポイント、遠隔端末、アクセス端末、ユーザ端末、ユーザエージェント、ユーザ装置、またはユーザ機器と呼ぶこともできる。無線端末は、加入者局、無線装置、携帯電話、ＰＣＳ電話、コードレス電話、セッション確立プロトコル（Session Initiation Protocol：ＳＩＰ）電話、無線ローカルループ（ＷＬＬ）局、個人用デジタル補助装置（ＰＤＡ）、無線接続機能を有するハンドヘルド装置、または無線モデムに接続されている他の処理装置とすることができる。
【００２２】
基地局（アクセスポイントなど）は、１つまたは複数のセクタを介して、エアインターフェース上で無線端末と通信するアクセスネットワークにおける装置を指し得る。基地局は、受信されたエアインターフェースフレームをＩＰパケットに変換することによって、無線端末と、ＩＰネットワークを含み得る残りのアクセスネットワークとの間のルータとして働くことができる。また、基地局は、エアインターフェースの属性の管理を調整する。
【００２３】
さらに、本明細書に記載されている様々な態様または特徴は、標準プログラミングおよび／または工学技術を使用して、方法、装置、または製品として実装することができる。「製品」という用語は、本明細書で使用される場合、任意のコンピュータ可読装置、キャリア、または媒体からアクセス可能なコンピュータプログラムを含むものとする。例えば、コンピュータ可読媒体には、それだけには限定されないが、磁気記憶装置（ハードディスク、フロッピー（登録商標）ディスク、磁気ストライプなど）、光ディスク（コンパクトディスク（ＣＤ）、デジタル多用途ディスク（ＤＶＤ）など）、スマートカード、およびフラッシュメモリ装置（ＥＰＲＯＭ、カード、スティック、キードライブ（key drive）など）などがある。さらに、本明細書に記載される様々な記憶媒体は、情報を格納するための１つまたは複数の装置および／または他の機械可読媒体を表すことができる。「機械可読媒体」という用語は、それだけには限定されないが、無線チャネルおよび命令および／またはデータを格納し、含み、かつ／または運ぶことができる他の様々な媒体を含み得る。
【００２４】
次に図１を参照すると、本明細書に示されている様々な実施形態による無線通信システム１００が示されている。システム１００は、無線端末１０４との間で無線通信信号の受信、伝送、および反復などを行う基地局１０２を備え得る。さらに、システム１００は、基地局１０２に似た複数の基地局、および／または無線端末１０４に似た複数の無線端末を含み得ることが企図される。基地局１０２は、送信機チェーンおよび受信機チェーンを備えることができ、そのそれぞれは、当業者には理解されるように、信号の伝送および受信に関する複数の構成要素（例えばプロセッサ、変調器、多重化装置、復調器、逆多重化装置、アンテナなど）を備え得る。基地局１０２は、固定局および／または移動体とすることができる。無線端末１０４は、例えば、携帯電話、スマートフォン、ラップトップ、ハンドヘルド通信装置、ハンドヘルドコンピューティング装置、衛星無線（satellite radio）、全地球測位システム、ＰＤＡ、および／または無線通信システム１００を介して通信するのに適した他の任意の装置とすることができる。また、無線端末１０４は、固定式または移動体とすることができる。
【００２５】
無線端末１０４は、いつでもダウンリンクおよび／またはアップリンクチャネル上で基地局１０２（および／または異なる基地局）と通信することができる。ダウンリンクは、基地局１０２から無線端末１０４への通信リンクを指し、アップリンクチャネルは、無線端末１０４から基地局１０２への通信リンクを指す。基地局１０２は、さらに、他の基地局、および／または例えば無線端末１０４の認証および許可、課金、請求書発行などの機能を行うことができる異なる装置（サーバなど）（図示せず）と通信することができる。
【００２６】
基地局１０２は、電力コントローラ１０６および無線端末検証器１０８をさらに含み得る。電力コントローラ１０６は、無線端末１０４（および／または任意の異なる無線端末）に関する電力レベルを測定することができる。さらに、電力コントローラ１０６は、電力レベルの調整を容易にするために、無線端末１０４に電力コマンドを送信することができる。例えば、電力コントローラ１０６は、伝送ユニットの第１のサブセットに関連付けられている１つまたは複数の伝送ユニットで電力コマンドを送信することができる。例えば、電力コマンドは、電力レベルを増加させる、電力レベルを低下させる、ある電力レベルのままとするなどを指示ことができる。電力を増加または低下させる旨の電力コマンドを受信すると、無線端末１０４は、関連の電力レベルを一定（例えば事前に設定されている）量または一定のインクリメント変更することができる。さらに、無線端末検証器１０８は、伝送ユニットの第２のサブセットに関連付けられている１つまたは複数の伝送ユニットで、無線端末（例えば、無線端末１０４）に関連する端末識別子に応じて、情報を送信することができる。さらに、セッションＯＮ状態のとき、１つまたは複数のＯＮ識別子を各無線端末に割り当てることができ、ＯＮ識別子は、伝送ユニットの第１のサブセットおよび第２のサブセットに関連付けることができる。
【００２７】
電力コントローラ１０６は、ダウンリンク電力制御チャネル（ＤＬＰＣＣＨ）を介して電力コマンドを送信することができる。一例によれば、リソースは、無線端末１０４がセッションＯＮ状態にアクセスするとき、基地局１０２によって無線端末１０４に割り当てられ、こうしたリソースは、特定のＤＬＰＣＣＨセグメント、１つまたは複数のＯＮ識別子などを含み得る。ＤＬＰＣＣＨは、ダウンリンク電力制御メッセージを無線端末１０４の制御伝送電力に送信するために、（例えば電力コントローラ１０６を使用して）基地局セクタ接続点（base station sector attachment point）によって使用され得る。各ＤＬＰＣＣＨセグメントは、（例えば実際の）同相（Ｉ）成分および（例えば仮想の）直交（Ｑ）成分を備える変調記号値を運ぶ１つのトーンを直交周波数分割多重（ＯＦＤＭ）記号に含み得る。以下、ＯＦＤＭ記号におけるトーンは、トーン記号と呼ばれる。繰り返し構造（recurring structure）における所与の各ＤＬＰＣＣＨセグメントは、マッピング関数に従って、特定の無線端末（例えば無線端末１０４）に向けられ、こうした無線端末は、識別子（例えばＯＮ識別子、ｗｔＯｎｌＤ、セッションＯＮ  ＩＤなど）および／またはマスク（ｗｔＯＮＭＡＳＫなど）によって識別可能であり得る。電力コントローラ１０６は、ＤＬＰＣＣＨセグメントに関する送信された記号の第１の成分（例えば、Ｉ成分、Ｑ成分、またはＩフィールドおよびＱフィールド）に電力コマンドを挿入することができる。したがって、Ｉ成分（またはＱ成分）は、関連の伝送電力を調整するよう無線端末１０４（および／または任意の異なる無線端末）に指示する電力制御メッセージを運ぶことができる。
【００２８】
無線端末検証器１０８は、電力コマンドが対応する無線端末（例えば無線端末１０４）に関する情報を、電力コントローラ１０６によって転送される電力コマンドと共に送信することができる。例えば、無線端末検証器１０８は、無線端末（無線端末１０４など）に関する端末識別子（例えばスクランブルマスク）に応じて、情報を送信することができる。無線端末検証器１０８は、こうした情報を、ＤＬＰＣＣＨを介して転送することができる。一例によれば、無線端末１０４に関する情報は、電力コントローラ１０６からの電力コマンドの伝送のサブセットと共に、ＤＬＰＣＣＨを介して送信され得る。さらに、無線端末検証器１０８は、無線端末関連の情報を、ＯＦＤＭトーン記号の第２の成分（例えばＱ成分、Ｉ成分など）に組み込むことができる。例えば、第１の成分は、Ｉ成分とすることができ、第２の成分は、Ｑ成分とすることができ、逆も可能である。以下は、電力コマンドをＩ成分に含め、無線端末関連の情報をＱ成分に含めることを記載しているが、電力コントローラ１０６がＱ成分を使用し、無線端末１０８がＩ成分を使用してもよいことを理解されたい。
【００２９】
基地局１０２によって無線端末１０４に送信される記号のサブセット（例えば８つごとのうちの１つ）は、無線端末検証器１０８によって挿入されたＱ成分（Ｑビット）に検証情報を含み得る。基地局１０２が無線端末（例えば無線端末１０４）は存在しない（例えばＤＬＰＣＣＨセグメントにマッピングするセッションＯＮ  ＩＤなどのリソースに関する無線端末がない）と確信しているとき、無線端末検証器１０８は、Ｑ成分を０に設定することができる。また、無線端末（例えば無線端末１０４）が存在している（例えば、ＤＬＰＣＣＨセグメントにマッピングするセッションＯＮ  ＩＤなどのリソースに関連付けられている）とき、無線端末検証器１０８は、１または−１をＱ成分に挿入することができる。
【００３０】
無線端末１０４は、さらに、無線端末１０４に関する受信された情報を評価する検証情報比較器１１０を含み得る。検証情報比較器１１０は、受信された情報を分析して、無線端末１０４が基地局１０２によって記載されているようにリソースを使用しているかどうかを決定し、したがって、検証情報比較器１１０は、ＤＬＰＣＣＨを介して送信される記号のＱ成分に含まれる情報を評価することができる。例えば、基地局１０２は、無線端末１０４に識別子（セッションＯＮ  ＩＤなど）を割り当てているかもしれず、検証情報比較器１１０は、無縁端末１０４が割り当てられた識別子に関連付けられている適切なリソースを使用するかどうかを分析することができる。他の例によれば、検証情報比較器１１０は、無線端末１０４が基地局１０２によって割り当てられたＤＬＰＣＣＨのセグメントを使用しているかどうか、および／または基地局１０２が無線端末１０４に以前割り当てられたリソース（セッションＯＮ  ＩＤなど）を回収したかどうかを決定することができる。
【００３１】
次に図２を参照すると、無線端末に関するリソースの使用を検証するために、ユーザ固有の情報の使用を容易にするシステム２００が示されている。システム２００は、基地局２０２および無線端末２０４を含むが、システム２００と関連して、任意の数の同様の基地局および／または無線端末がさらに使用され得ることが企図されている。基地局２０２は、さらに、固有の識別割当器（identification assigner）２０６を備える。無線端末２０４が基地局２０２に関連付けられているシステムに参加する（例えば、ハンドオフ要求を基地局２０２に提供する）と、固有の識別割当器２０６は、スクランブルマスクを無線端末２０４に割り当てることができる。固有の識別割当器２０６によって割り当てられたスクランブルマスクは、無線端末２０４を、基地局２０２に関連付けられている異なる無線端末（例えば基地局２０２に関連する任意の状態の無線端末）と区別する。無線端末２０４が、基地局２０２に関連する状態（例えば、ＯＮ、ＨＯＬＤ、ＳＬＥＥＰ、ＳＰＬＩＴ−ＴＯＮＥ  ＯＮなど）に関連付けられている限り、スクランブルマスクは、無線端末２０４に割り当てられ続ける。したがって、無線端末２０４が様々な状態の間を移行する（ＯＮからＨＯＬＤなど）とき、無線端末２０４に一意に対応するスクランブルマスクは、無線端末２０４に割り当てられたままである。スクランブルマスクは、任意の数のビットを含む一連の２進値とすることができる。一例によれば、スクランブルマスクは、１６ビットとすることができるが、特許請求された主題は、そのように限定されない。
【００３２】
固有の識別割当器２０６（および／または基地局２０２）は、スクランブルマスクを、例えばハンドオフ応答中などに、無線端末２０４に提供することができる。さらに、またはあるいは、固有の識別割当器２０６（および／または基地局２０２）は、無線端末２０４が固有のスクランブルマスクの導出を可能にする情報を、無線端末２０４に提供することができる（例えばハンドオフ応答中など）。基地局２０２および無線端末２０４はそれぞれ、無線端末２０４に関連付けられているスクランブルマスクのコピーを、それぞれスクランブルマスク格納部２０８および２１０に保持することができる。
【００３３】
本明細書に記載されているデータ格納部（スクランブルマスク格納部２０８、スクランブルマスク格納部２１０など）は、揮発性または不揮発性メモリのいずれかとすることができ、または、揮発性および不揮発性メモリの両方を含み得る。不揮発性メモリには、それだけには限定されないが一例として、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、フラッシュメモリなどがある。揮発性メモリには、ランダムアクセスメモリ（ＲＡＭ）などがあり、これは外部キャッシュメモリとして働く。ＲＡＭは、それだけには限定されないが一例として、スタティックＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびＤｉｒｅｃｔ  Ｒａｍｂｕｓ  ＲＡＭ（ＤＲＲＡＭ）など多くの形態で使用可能である。対象のシステムおよび方法のスクランブルマスク格納部２０８〜２１０は、それだけには限定されないが、これらおよび他の任意の適したタイプのメモリを備えるものとする。
【００３４】
基地局２０２は、さらにセッションＯＮ識別割当器２１２を含み得る。無線端末２０４が基地局２０２に関するセッションＯＮ状態にアクセスするとき、セッションＯＮ識別割当器２１２は、セッションＯＮ識別（ＳＯＮ  ＩＤ）を無線端末２０４に割り当てることができる。ＳＯＮ  ＩＤは、セッションＯＮ状態の間、対応する無線端末（無線端末２０４など）によって使用され得るいくつかの専用のリソースにマッピングし得る。例えば、ＳＯＮ  ＩＤは、１組のダウンリンク電力制御チャネルセグメントからの特定のダウンリンク電力制御チャネルセグメントに関連し得る。別の例によれば、無線端末２０４がセッションＯＮ状態からセッションＨＯＬＤ状態に移行するとき、セッションＯＮ識別割当器２１２は、無線端末２０４へのＳＯＮ  ＩＤの割当てを容易に取り除けるようになる。したがって、セッションＯＮの間、無線端末２０４には、ＳＯＮ  ＩＤが割り当てられ、セッションＨＯＬＤの間、無線端末２０４には、ＳＯＮ  ＩＤがない。
【００３５】
セッションＯＮ識別割当器２１２（および／または基地局２０２）は、ＳＯＮ  ＩＤを無線端末２０４に提供する。無線端末２０４は、さらに、割り当てられたＳＯＮ  ＩＤを使用して、無線端末２０４に割り当てられたダウンリンク電力制御チャネルセグメントを決定する電力制御チャネル識別子２１４を含み得る。例えば、基地局２０２は、セッションＯＮ状態の３１個の無線端末をサポートすることができ、したがって、電力制御チャネル識別子２１４は、対応する割り当てられたＳＯＮ  ＩＤにマッピングする３１個の定期的なダウンリンク電力制御セグメントのうちの１つを探し出すことができる。別の例によれば、基地局２０２は、ＳＰＬＩＴ−ＴＯＮＥ  ＯＮ状態の９３個の無線端末をサポートすることができ、同様に、電力制御チャネル識別子２１４は、ＳＯＮ  ＩＤに対応する割り当てられたダウンリンク電力制御リソースを決定することができる。
【００３６】
無線端末２０４は、電力制御チャネル識別子２１４を使用して、ＳＯＮ  ＩＤに基づいて、電力制御チャネルリソースを識別することができるが、基地局２０２と無線端末２０４との間の不一致をもたらす誤りが起こり得る。例えば、複数の無線端末には、それぞれ同じＳＯＮ  ＩＤが割り当てられていると考え得る。したがって、２つの無線端末は、無線端末のうちの一方を対象とする、またはいずれも対象としない同じダウンリンク電力制御セグメントに関連付けられている記号を受信し得る。別の例によれば、基地局２０２は、無線端末２０４のセッションＯＮからセッションＨＯＬＤへの移行を容易にするために、信号を無線端末２０４に送信し得るが、無線端末２０４は、こうした指示を取得しない場合がある。したがって、基地局２０２は、無線端末２０４に割り当てられているＳＯＮ  ＩＤが回収されたと考え、一方、無線端末２０４は、ＳＯＮ  ＩＤを使用して電力制御コマンドを取得し続ける（例えば、基地局２０２の電力コントローラ２１６から提供される）。
【００３７】
基地局２０２は、さらに、電力コントローラ２１６および無線端末検証器２１８を含み、その両方は、ＤＬＰＣＣＨを介して、Ｉ成分およびＱ成分で、複合記号を送信することができる。電力コントローラ２１６は、上述したように、無線端末２０４に送信される複合記号の第１の成分（Ｉ成分、Ｑ成分など）に電力コマンドを組み込むことができる。無線端末検証器２１８は、検証情報を第２の成分（Ｑ成分、Ｉ成分など）に含めることができる。一例として、電力コントローラ２１６は、伝送ユニットのＩ成分に電力コマンドを含めることができ、無線端末検証器２１８は、Ｑビットと呼ばれ得る伝送ユニットのＱ成分に検証情報を含めることができる。例えば、無線端末検証器２１８は、無線端末２０４に転送される複合記号のサブセットに、Ｑビットデータを含めることができる。それだけには限定されないが、一例として、Ｑビットデータは、無線端末検証器２１８によって、特定の無線端末に向けられる８つの電力制御記号のうちの１つに含まれ得る。
【００３８】
スクランブルマスク格納部２１８で維持されるスクランブルマスクは、無線端末検証器２１８によって使用され得る。例えば、無線端末検証器２１８は、（例えばＱ成分内など）電力制御記号にスクランブルマスクからの１ビットを含めることができる。インデックス値（ｋ）は、特定のＱ成分に組み込むために無線端末２０４に割り当てられるスクランブルマスク内のビット位置（ｋ番目のビット位置）を識別するために、スクランブルマスクに関連付けられる。スクランブルマスクのｋ番目のビット位置の値（Ｚｋ）は、複合記号に関連付けられているＱ成分の値（例えば、Ｚｋ＝０はＱ成分＝１に対応し、Ｚｋ＝１は−１のＱ成分に対応する）を決定する。
【００３９】
電力コントローラ２１６および／または無線端末検証器２１８は、無線端末２０４から取得された情報を使用して、それぞれ第１および第２の成分に関する伝送電力レベルを調整することができる。例えば、無線端末２０４は、基地局２０２から一定の電力で送信されるパイロット記号における信号対雑音比（ＳＮＲ）を測定することができ、ＳＮＲは、アップリンク専用制御チャネル（ＵＬＤＣＣＨ）を介して無線端末２０４から基地局２０２に報告され得る。報告されたＳＮＲに基づいて（また、ＳＮＲ状態が報告以降著しく変わっていないと仮定して）、６ｄＢの一定のＳＮＲで、無線端末２０４によって受信されるような電力で、電力コントローラ２１６は、Ｉ成分上で送信し、かつ／または無線端末検証器２１８は、Ｑ成分上で送信し得る（または逆）が、特許請求された主題は、そのように限定されない。例として、ＳＮＲがＸｄＢであることを無線端末２０４が基地局２０２に報告した場合、基地局２０２（および／または無線端末検証器２１８）は、パイロットの一定の伝送電力および（６−Ｘ）ｄＢに実質的に等しい電力で、Ｑビット記号を送信することができる。
【００４０】
無線端末２０４は、さらに、送信された複合記号を取得し、送信された記号のＱビットを、スクランブルマスク格納部２１０に保持されているスクランブルマスクからのデータと比較する検証情報比較器２２０を含み得る。検証情報比較器２２０は、同様に、インデックス値を使用して、その比較の基になる保持されているスクランブルマスク内のビット位置を識別し得る。さらに、検証情報比較器２２０は、受信されたＱビットがスクランブルマスクの格納されたコピーからの予想されるビットと一致するかどうかを決定することができる。また、検証情報比較器２２０は、Ｑ成分に情報を含んでいることが予想される、無線端末２０４に向けられる記号のサブセットを識別することができる。
【００４１】
無線端末２０４は、電力調整器２２２および誤りハンドラ２２４も含み得る。電力調整器２２２は、複合記号のＩ成分に含まれる受信されたデータに基づいて、無線端末２０４の電力レベルを変更することができる。一例によれば、電力調整器２２２は、検証情報比較器２０４がＱ成分内でこうした情報を受信すると予想しないとき、受信された記号がＱビットの情報を欠いている場合、Ｉ成分に従って電力レベルを変更する（例えば増加させる、低下させる、同じレベルのままとするなど）ことができる。検証情報比較器２２０がＱ成分での情報の受信を予想し、こうした情報が欠けている場合（例えば、基地局２０２が、関連のＤＬＰＣＣＨリソースを占領する無線端末がないと考えることを示す）、電力調整器２２２は、無線端末２０４の電力レベルを低下させることができる。さらに、検証情報比較器２２０が、受信されたスクランブルマスクビットと予想されるスクランブルマスクビットとが一致しないと決定すると、電力調整器２２２は、Ｉ成分で提供された電力コマンドを無視することができる。
【００４２】
誤りハンドラ２２４は、受信されたスクランブルマスクビットと予想されるスクランブルマスクビットとが一致しないとき、さらに動作し得る。誤りハンドラ２２４は、例えば、検証情報比較器２２０によって識別される誤りをフィルタ処理することができる。一例によれば、誤りハンドラ２２４は、検証情報比較器２２０が不一致を識別すると、動作し得る。別の例によれば、誤りハンドラ２２４は、Ｍ個の測定値から少なくともＮ個の誤り（例えば、ある期間にわたる誤り数のしきい値）が識別されると、別のアクションを実行し得る。この場合、ＮおよびＭは調整可能である。誤りハンドラ２２４は、スクランブルマスクの各ビットを別々に評価することもできる。したがって、一例として、スクランブルマスクが１６ビットを含む場合、スクランブルマスクにおける１つの特定のビット位置におけるビットが永続的な誤りを有している誤り状態を誤りハンドラ２２４が検出することができるように、スクランブルマスクの第１のビット（および／または任意の異なるビット）は、他の１５ビット（例えば、第１のビットに関連するＭ個の測定値のうちのＮ個の誤り）とは別に評価されてもよい。基地局２０２がスクランブルマスクＡを使用し、無線端末２０４がスクランブルマスクＢを使用し、スクランブルマスクＡおよびＢがその特定のビット位置において互いに異なる場合、誤り状態が起こり得る。
【００４３】
誤りハンドラ２２４は、スクランブルマスクに関する受信されたビットと予想されるビットとの間の識別された不一致に応答して、任意のタイプのアクションを実行し得る。例えば、誤りハンドラ２２４は、無線端末２０４と基地局２０２との間のリンクのドロップを容易にすることができ、その後、無線端末２０４は、基地局２０２に再接続することができる。別の例によれば、誤りハンドラ２２４は、セッションＯＮからセッションＨＯＬＤへの無線端末２０４の状態の移行をもたらすことができる。したがって、無線端末２０４は、セッションＨＯＬＤに静かに移行することができ、または、無線端末２０４は、（例えば、状態移行要求を基地局２０２に送信することによって）セッションＨＯＬＤへの状態の移行を開始することができる。すでにセッションＨＯＬＤであると思われる無線端末２０４からの、セッションＯＮからセッションＨＯＬＤへの状態移行要求の受信に応答して、基地局２０２は、不一致を取り除くために、こうした要求に応じる。また、図には示していないが、基地局２０２が無線端末２０４の状態の移行を開始し得ることを理解されたい。
【００４４】
図３を参照すると、ダウンリンク電力制御チャネルを介して受信され得る複合記号に関連付けられている配置例３００が示されている。例えば、こうした受信された複合記号は、雑音、干渉などを含み得る。特許請求された主題は、本明細書に記載されている複合記号に限定されず、こうした記号は、例示の目的で示されていることを理解されたい。複合記号は、同相（Ｉ）成分および直交（Ｑ）成分を含む。電力コマンドは、Ｉ成分で提供され、無線端末に関する情報は、Ｑ成分に含まれ得る。記号３０２は、電力レベルを増加させるための電力コマンドに関連付けられ得る。記号３０４は、ある電力レベルのままとするための電力コマンドに関連付けられ得る。記号３０６は、電力レベルを低下させるための電力コマンドに関連付けられ得る。さらに、記号３０２、３０４、および３０６は、Ｑビット情報を含まないＤＬＰＣＣＨセグメントを介して送信され得る。記号３０２、３０４、および３０６を受信すると、無線端末は、その電力レベルを変更し得る。別の例によれば、（ＤＬＰＣＣＨセグメントに関連するＳＯＮ  ＩＤなど）対応するリソースに割り当てられている無線端末はないと基地局が考えるとき、記号３０４は、Ｑビットに関連付けられる予定のＤＬＰＣＣＨセグメント内で送信され得る。したがって、無線端末は、Ｑビットデータを予想している間に記号３０４を受信する場合、基地局が割り当てられたリソースを回収したことを識別し、したがって、セッションＨＯＬＤに移行したり、基地局への接続を終了したりすることができる。
【００４５】
記号３０８は、電力レベルを低下させるための電力コマンド、およびＱ成分に含まれるスクランブルマスクからのビットに関連し得る。したがって、検証情報は、電力制御情報内で符号化され、上述したように使用され得る。記号３１０は、示したように、Ｑ軸上に大量のエネルギーを有し、したがって、記号３１０は、大量の干渉に関連付けられ、したがって、信頼できない可能性がある（例えば、特にＱ成分情報が予想されない場合）。したがって、記号３１０に関連付けられているＩ成分内の電力制御コマンドは、無視され得る。別の例によれば、記号３１０が信頼できると決定される場合、Ｉ成分は、−１と決定され得る（例えば、所定の１インクリメント下に調整された電力レベル）。というのは、Ｉ成分における値は、−１／２未満であるからである。しかし、特許請求された主題は、それに限定されない。
【００４６】
次に図４を参照すると、ダウンリンク電力制御チャネル関連のリソースを使用して無線端末の識別を検証するシステム４００が示されている。システム４００は、基地局４０２、無線端末１  ４０４、および無線端末２  ４０６を含む。基地局４０２は、上述したように、電力コントローラ４０８および無線端末検証器４１０を含み得る。さらに、無線端末１  ４０４および無線端末２  ４０６は、上記の説明と同様に、それぞれ検証情報比較器４１２および検証情報比較器４１４を含む。さらに、無線端末１  ４０４は、スクランブルマスクＡに関連付けられており、無線端末２  ４０６は、スクランブルマスクＢに関連付けられており、ＡとＢとは異なる。
【００４７】
一例によれば、無線端末１  ４０４および無線端末２  ４０６は、同じＤＬＰＣＣＨセグメントを同時に復号し得る。無線端末１  ４０４および無線端末２  ４０６の両方は、同じＳＯＮ  ＩＤを有していると確信し得る（例えば、いずれも同じＳＯＮ  ＩＤに関連付けられているＤＬＰＣＣＨセグメントを復号する）。例えば、無線端末のうちの一方が、関連のＳＯＮ  ＩＤを誤って決定した、セッションＯＮからセッションＨＯＬＤへの基地局移行要求を取得していない、セッションＯＮ状態に移行する旨の基地局コマンドを誤って復号したなどの場合がある。基地局４０２は、電力コントローラ４０８を使用することによって、複合記号のＩ成分で電力コマンドを送信し、無線端末検証器４１０の使用を介して、複合記号のＱ成分で適切な無線端末に関連する検証情報を送信することができる。無線端末１  ４０４がＳＯＮ  ＩＤおよび関連のリソースを適切に使用していると仮定して、無線端末検証器４１０は、異なるＤＬＰＣＣＨセグメントに関連付けられているＱ成分でスクランブルマスクＡの１ビットを送信することができる。したがって、検証情報比較器４１２および４１４は、Ｑ成分で受信された情報を、無線端末のそれぞれに一意に割り当てられたスクランブルマスクと比較して、リソースが適切に使用されているかどうかを決定することができる。この例によれば、無線端末１  ４０４は、受信されたスクランブルマスクビットと予想されるスクランブルマスクビットとが一致しているため、受信された電力コマンドを引き続き使用することを決定することができる。さらに、無線端末２  ４０６は、スクランブルマスクＡに関連付けられているビットが送信され、さらにスクランブルマスクＢが無線端末２  ４０６に割り当てられるために、受信されたスクランブルマスクビットと予想されるスクランブルマスクビットとの間に不一致があることを決定し、その後、無線端末２  ４０６は、基地局４０２との接続を切断したり、セッションＨＯＬＤに移行したりし得る。スクランブルマスクＡおよびスクランブルマスクＢは、任意の数の同じおよび／または異なるビットを有し得ることを理解されたい。
【００４８】
無線リソースが一連のＯＦＤＭ記号を逐次備えるＯＦＤＭシステム例について検討する。ＯＦＤＭ記号は、サブキャリアとしても知られるいくつかのトーンを備える。所与のＯＦＤＭ記号における、トーン記号とも呼ばれる各トーンを使用して、ある情報を運ぶ複素数を送信することができる。例えば、トーンの数は、１１３とすることができる。
【００４９】
さらに、一連のＯＦＤＭ記号の信号構造の一実施形態について検討する。具体的には、一連のＯＦＤＭ記号は、ウルトラスロット（ultraslot）に分割される。各ウルトラスロットは、インデックス０から１７までの１８個のビーコンスロット（beaconslot）を含み、各ビーコンスロットは、インデックス０から７までの８つのスーパースロット（superslot）を含む。ダウンリンクでは、各スーパースロットは、ヘッダー（Ｈ）、続いてインデックス０から１５までの１６個のハーフスロット（halfslot）を含む。スーパースロットヘッダーは、２記号周期にわたり、各ハーフスロットは、７記号周期にわたり、各スーパースロットは、１１４記号周期にわたる。スーパースロット内のハーフスロットは、０、１、・・・、１５などのように、昇順にインデックスを付けることができる。インデックス変数は、ｄｌＳｕｐｅｒｓｌｏｔＨａｌｆｓｌｏｔＩｎｄｅｘと示される。基地局は、各スロットの各記号周期内にトラヒックデータ、シグナリング、および／またはパイロットを送信することができる。ウルトラスロット内の各ＯＦＤＭ記号は、０、１、・・・、１６４１５などのように、昇順にインデックスを付けることができる。インデックス変数は、ｄｌＵｌｔｒａｓｌｏｔＯＦＤＭＳｙｍｂｏｌＩｎｄｅｘと示される。
【００５０】
図５を参照すると、ダウンリンク電力制御チャネル（ＤＬ．ＰＣＣＨ）セグメント（例えば、セグメント５０２など）の一例が示されている。ＤＬ．ＰＣＣＨチャネルは、無線端末（ＷＴ）伝送電力を制御する旨のダウンリンク（ＤＬ）電力制御メッセージを送信するために使用され得る。所与の基地局セクタにおいて、ＤＬ．ＰＣＣＨチャネルは、７つのハーフスロットに４つのトーンを含み得る。４つのトーンは、論理ドメインにおいて隣接している。すなわち、ホッピングシステム（hopping system）において、４つのトーンの組は、４つのトーンの別の組にマッピングされ、これは、潜在的に隣接していない可能性がある。任意のスーパースロットにおいて、７つのハーフスロットのｄｌＳｕｐｅｒｓｌｏｔＨａｌｆｓｌｏｔＩｎｄｅｘの値は、ｋ＝０：７について２＊ｋ＋１に等しいが、ｋ＝ｋ０の場合を除く。ｋ０は、システムパラメータである。ＤＬ．ＰＣＣＨチャネルセグメント（例えばセグメント５０２）は、１つのトーン記号を含み得る。１つのウルトラスロットに、２８２２４個のＤＬ．ＰＣＣＨセグメントが存在する。ｓ＝０：２８２２３の場合、ＤＬ．ＰＣＣＨチャネルセグメント［ｓ］は、以下のように定義され得る。１つのウルトラスロットにおいて、ＤＬ．ＰＣＣＨセグメントは、最初にｄｌＵｌｔｒａｓｌｏｔＯＦＤＭＳｙｍｂｏｌＩｎｄｅｘの昇順でインデックスが付けられ、２番目に、（例えば、同じＯＦＤＭ記号において）同じｄｌＵｌｔｒａｓｌｏｔＯＦＤＭＳｙｍｂｏｌＩｎｄｅｘのものの論理トーンインデックスの昇順でインデックスが付けられ得る。特に、第１のハーフスロットの第１のＯＦＤＭ記号における０に等しいトーンインデックスのトーン記号は、ＤＬ．ＰＣＣＨセグメント［０］として使用することができ、同じＯＦＤＭ記号における１から３に等しいトーンインデックスのトーン記号は、それぞれＤＬ．ＰＣＣＨセグメント［１］、［２］、［３］として使用され得る。次いで、同じハーフスロットの第２のＯＦＤＭ記号における０から３に等しいトーンインデックスのトーン記号は、それぞれＤＬ．ＰＣＣＨセグメント［４］、［５］、［６］、［７］として使用され、以下同様である。したがって、各ビーコンスロットに１５６８個のＤＬ．ＰＣＣＨセグメントが含まれ得る。１つのビーコンスロットのうちの各スーパースロットに１９６個のＤＬ．ＰＣＣＨセグメントが存在し得る。１つのスーパースロットにおいて、ＤＬ．ＰＣＣＨセグメントは、７つのハーフスロットに存在し得る。ハーフスロットのうちの１つに２８個のＤＬ．ＰＣＣＨセグメントが存在し得る。
【００５１】
無線端末が基地局（セクタ）と接続されているとき、特に、無線端末が接続についてＯＮ状態にあるとき、ＤＬ．ＰＣＣＨセグメントのサブセットが無線端末に割り当てられる。ＯＮ状態では、無線端末に、ｗｔＯｎＩＤと示されるＯＮ識別子、およびｗｔＯＮＭＡＳＫなど他のＯＮ識別子が割り当てられる。様々な実施形態において、無線端末に割り当てられているＤＬ．ＰＣＣＨセグメントのサブセットは、無線端末のＯＮ識別子によって決定される。
【００５２】
２つの含意がある。第１に、異なる無線端末は、異なるＯＮ識別子が割り当てられるため、互いに素のＤＬ．ＰＣＣＨセグメントのサブセットを使用する。第２に、例えば以前割り当てられていた無線端末がＯＮ状態を出るため、ＯＮ識別子が放棄された後、基地局がそのＯＮ識別子を別の無線端末に割り当てて、ＤＬ．ＰＣＣＨセグメントの使用を増やすために、ＯＮ識別子のアイドル時間を減らすことが望まれる。しかし、こうした高速切替は、堅牢性の問題をもたらし得る。例えば、基地局は、第１の端末がＯＮ識別子を放棄したと考え、しかし、例えばシグナリングの誤りのために、第１の端末は、それが依然としてＯＮ識別子を有していると考える可能性がある。次いで、両方の端末は、ＯＮ識別子を有すると考え、これは、解決すべき有害な状態切断状態（state disconnect condition）である。
【００５３】
堅牢性の問題を解決するために、一実施形態では、端末を一意に識別するために使用される識別子が端末に割り当てられる。この識別子は、スクランブルマスク、ＭＡＣ  ＩＤ、インターネットプロトコル（ＩＰ）アドレス、または他の何らかのタイプのＩＤとすることができる。以下で詳しく説明する一実施形態において、端末識別子は、ｗｔＳｃｒａｍｂｌｉｎｇＭａｓｋとして示されるスクランブルマスクによって与えられる。一般に、端末に割り当てられるスクランブルマスクは、スクランブルマスクがどのように割り当てられるかに応じて、単一の基地局、１組の基地局、またはシステム全体に一意とすることができる。
【００５４】
ＯＮ識別子とは異なり、端末識別子は、無線リソースの使用または割当てに関連しない場合がある。したがって、端末識別子は、端末識別子が比較的大きい長さを有し得るという点で、貴重なリソースではない。一実施形態では、各端末は、静的端末識別子を有し、これは、端末がある基地局から別の基地局に移動するとき変わらない。別の実施形態において、端末は、基地局に接続されると、端末識別子が動的に割り当てられる。その場合、基地局は、所与の端末識別子の使用を積極的に増加させる必要はない。例えば、第１の端末が端末識別子を放棄した後、基地局は、同じ端末識別子が第２の端末に割り当てられる前に、第１の端末が本当に端末識別子を放棄したことを確認するために、ある期間の間、例えば１分間など、端末識別子を未使用にしておくことができる。したがって、２つの端末が同じ端末識別子を有すると考える可能性が最低限に抑えられる。
【００５５】
様々な態様によれば、端末識別子に関連する情報は、所与の無線端末のＯＮ識別子に割り当てられるＤＬ．ＰＣＣＨセグメントのサブセットで、通常の電力制御コマンドと共に送信される。
【００５６】
ＤＬ．ＰＣＣＨセグメントは、割り当てられたリソース（例えばｗｔＯｎＩＤ、ｗｔＯＮＭＡＳＫなど）にマッピングする特定のＷＴに向けられ得る。各ＤＬ．ＰＣＣＨセグメントは、２つの情報、すなわち以下のように決定され得るＩ成分およびＱ成分（それぞれ同相成分および直交成分）を運び得る。Ｉ成分は、その伝送電力を調整するようＷＴに指示するＤＬ電力制御メッセージを含み得る。基地局サブシステム（ＢＳＳ）がその伝送電力を低下（または増加）させるようＷＴに命令する場合、Ｉ成分は、−１（または１）に設定され得る。ＢＳＳがその伝送電力を変更しないようＷＴに命令する場合、Ｉ成分は、０に設定され得る。以下の場合を除いて、Ｑ成分は、０に設定され得る。ＤＬ．ＰＣＣＨが向けられるＷＴが有効である（例えば、ＤＬ．ＰＣＣＨセグメントに関連付けられているＯＮ識別子が無線端末によって現在使用されている）場合、Ｑ成分は、例えば対応するＯＮ識別子が割り当てられた無線端末の端末識別子に応じて、１または−１に設定され得る。一実施形態では、所与のＯＮ識別子に関連付けられているＤＬ．ＰＣＣＨセグメントの所定のサブセットのみが、Ｑ成分を１または−１のいずれかに設定することになっている。ｓをＤＬ．ＰＣＣＨセグメントのインデックスとして示し、したがって、ｓ＝０，．．．，２８２２３となる。一実施形態において、ｍｏｄ（ｓ，８）が０に等しいとき、Ｑ成分は、１または−１に設定され、この場合、最高１／８のＤＬ．ＰＣＣＨセグメントのみが非ゼロのＱ成分を送信することができるが、特許請求された主題は、そのように限定されない。所与のＯＮ識別子について、ＷＴが存在しない場合、Ｑ成分は、すべてのＤＬ．ＰＣＣＨセグメントについて、０に設定され得る。
【００５７】
ＷＴが存在しているときのＱ成分の値（例えば１、−１など）は、各ＷＴに固有の、例えばスクランブルマスクなど、端末識別子に関連付けられているシーケンスに基づいて決定され得る。例えば、Ｚｋは、ＷＴのスクランブルマスク（例えばｗｔＳｃｒａｍｂｌｉｎｇＭａｓｋなど）の２項式におけるｋ番目のビットとすることができ、この場合、ｋ＝０：１５であり、Ｚ１５は、最上位のビット（ＭＳｂ）、Ｚ０は、最下位のビット（ＬＳｂ）である。ｍｏｄ（ｓ，８）が０に等しいとき、ＤＬ．ＰＣＣＨセグメント［ｓ］によってＱ成分が１または−１のいずれかに設定され得る、非ゼロのＱ成分についての１／８のＤＬ．ＰＣＣＨセグメントの使用の上記の実施形態を続けるために、変数Ｘ＝ｍｏｄ（１５−ｆｌｏｏｒ（ｓ／８／Ｄ），１６）を定義し、ＤＬ．ＰＣＣＨセグメント［ｓ］のＱ成分は、スクランブルマスクの特定のビットに依存する。ＺＸが０に等しい場合、Ｑ成分は、１に設定され、ＺＸが１に等しい場合、−１に設定され得る。ここでは、Ｄは、例えばＤ＝３１または９３などのシステムパラメータである。
【００５８】
ＢＳＳは、符号化された変調記号を（Ｉ，Ｑ）になるように設定することができ、この場合、ＩおよびＱは、それぞれＩ成分およびＱ成分の値である。さらに、ＢＳＳは、ホッピングマッピング操作（hopping mapping operation）を実行して、何らかのホッピングマッピング機能に従って、複合記号（Ｉ，Ｑ）を、所与のＯＦＤＭ記号における指定された周波数トーンに変調することができる。
【００５９】
ＷＴがＯＮ状態であるとき、電力制御に関連付けられている以下の操作を使用することができる。ＢＳＳは、ＷＴのＯＮ識別子に割り当てられるＤＬ．ＰＣＣＨセグメントのサブセットでＤＬ電力制御メッセージをＷＴに送信することができる。ＷＴは、こうしたＤＬ．ＰＣＣＨセグメントを受信して、電力制御メッセージを取得し、受信されたＤＬ電力制御メッセージに基づいて、その伝送電力を調整することができる。
【００６０】
ＷＴは、電力制御メッセージを、ＤＬ．ＰＣＣＨセグメントのＩ成分から受信し得る。また、ＢＳＳは、例えばアップリンク専用制御チャネル（ＵＬ．ＤＣＣＨ）チャネルなど、ＷＴから受信されたＵＬ信号の信号品質を測定し、信号品質が目標を満たすことを確実にするための電力制御メッセージを決定することができる。
【００６１】
また、ＷＴは、ＤＬ．ＰＣＣＨセグメントのＱ成分も受信する。Ｑ成分が０に設定されると予想されるＤＬ．ＰＣＣＨセグメントに、受信されたＱ成分が大量のエネルギーを含んでいることをＷＴが検出すると、ＷＴは、ＤＬ．ＰＣＣＨセグメントを信頼できないと考え、Ｉ成分も破棄し得る。
【００６２】
Ｑ成分は、状況の確認のためにも使用され得る。状況の確認中、受信されたＱ成分がＷＴのスクランブルマスク（例えばｗｔＳｃｒａｍｂｌｉｎｇＭａｓｋなど）に一致しない場合、Ｉ成分は、ＷＴの伝送電力を低下させる旨の命令として解釈され得る。
【００６３】
また、状況の確認は、ＷＴがＯＮ状態のときにも実行され得る。ＤＬ．ＰＣＣＨセグメントが送信されることになっているとき、ＢＳＳは、ＤＬ．ＰＣＣＨセグメントのＱ成分を決定することができる。ＷＴは、ＷＴに専用のＤＬ．ＰＣＣＨセグメントのＱ成分を受信し、受信されたＱ成分の値をそのｗｔＳｃｒａｍｂｌｉｎｇＭａｓｋの対応するビットと比較することができる。２つが一致する場合、一致するインジケータは、Ｘ＝０に設定され得る。そうでなく、受信されたＱ成分の値が一致しない場合、一致するインジケータは、Ｘ＝１に設定され得る。以下のように、受信されたＱ成分がＷＴのｗｔＳｃｒａｍｂｌｉｎｇＭａｓｋにどのくらい一致するかを測定するために、一致するインジケータＸが使用される。
【００６４】
ＷＴは、内部変数Ｙを維持し得る。ＷＴは、ＯＮ状態に入ると、Ｙ＝０を設定し得る。ＷＴは、新しいＸを決定した後、１次ローパスフィルタ（first-order lowpass filter）を以下のように使用することによって、Ｙを更新することができる。Ｙ＝ａｌｐｈａ＊Ｘ＋（１−ａｌｐｈａ）＊Ｙであり、この場合、パラメータａｌｐｈａは、１／８１９２に設定される。次いでＷＴは、新しいＹをしきい値パラメータＴ＝１−（１−ａｌｐｈａ）ｍと比較することができ、この場合、ｍ＝（ｏｎＤｒｏｐＴｉｍｅｒ／１１．４）＊（１９６／２４８）である。パラメータｏｎＤｒｏｐＴｉｍｅｒは、ミリ秒で測定され、上位層プロトコルにおいてＷＴに渡される数字である。新しいＹがしきい値Ｔを超えない場合、ＷＴは、任意のそれ以上のアクションを行うことを控えることができる。そうでない場合、ＷＴは、そのｗｔＡｃｔｉｖｅＩＤ、ｗｔＯｎＩＤ、ｗｔＯｎＭａｓｋを静かに放棄し、ＢＳＳによりＮＵＬＬ状態に移る。ＷＴは、その後、再度ＢＳＳによりＡＣＣＥＳＳ状態に移ることができる。
【００６５】
図６〜８を参照すると、無線端末の検証を可能にするために、ダウンリンク電力制御チャネルセグメントを介して送信される複合記号のＱ成分に、無線端末固有の情報を含めることに関連する方法が示されている。説明を簡単にするために、方法を一連の動作として示し、説明しているが、一部の動作は、１つまたは複数の実施形態に従って、本明細書に示し説明したものとは異なる順序で、かつ／または他の動作と同時に行うことができるため、この方法は動作の順序によって限定されないことを理解されたい。例えば、方法を、代わりに相互に関係のある一連の状態またはイベントとして、例えば状態図などで表すことができることを当業者であれば理解されたい。さらに、１つまたは複数の実施形態に従って方法を実施するのに、示したすべての動作が必要であるとは限らない。
【００６６】
図６を参照すると、伝送電力の制御および無線端末の切断の状態の検出を容易にする方法６００が示されている。６０２で、少なくとも１つのＯＮ識別子が無線端末に割り当てられ得る。例えば、ＯＮ識別子は、伝送ユニットの第１の所定のサブセットおよび伝送ユニットの第２の所定のサブセットに関連付けられ得る。第１の所定のサブセットは、第２の所定のサブセットを含み得ることを理解されたい。さらに、Ｎが任意の整数（例えば８など）である場合、第１の所定のサブセットは、第２の所定のサブセットのＮ倍の伝送ユニットを含み得る。６０４で、伝送ユニットの第１のサブセットのうちの少なくとも１つの伝送ユニットで、電力コマンドが送信され得る。電力コマンドは、電力レベルを増加させる、電力レベルを低下させる、ある電力レベルのままとするなどのための信号とすることができる。さらに、送信する電力コマンドは、無線端末に関する測定された電力レベルの評価に基づいて決定され得る。したがって、無線端末固有の電力コマンドは、伝送ユニットの第１の成分に含まれ得る。例えば、第１の成分は、同相（Ｉ）成分および直交（Ｑ）成分のうちの一方とすることができる。ダウンリンク電力制御チャネルセグメントは、変調記号値を運ぶＯＦＤＭトーン記号を備え、記号値のＩ成分との関連で、電力コマンドが含まれ得る。
【００６７】
６０６で、伝送ユニットの第２のサブセットのうちの１つの伝送ユニットで、無線端末に関する端末識別子に応じて情報が送信され得る。情報は、無線端末に関する端末識別子の一部分（スクランブルマスクなど）を含み得る。例えば、スクランブルマスクは、無線端末に一意に対応し、したがって、無線端末の識別の検証を容易にし得る。別の例によれば、情報は、第２の成分（例えば直交（Ｑ）成分、同相（Ｉ）成分など）に含まれていてもよい。一例によれば、スクランブルマスクの１ビットは、ダウンリンク電力制御チャネルを介した伝送では、ある記号のＱ成分に挿入され得る。さらに、無線端末に関する情報は、電力コマンドの伝送のサブセットにより送信され得る（例えば、Ｎが任意の整数である場合、Ｎ個の電力コマンド伝送のうちの１つが無線端末に関する情報の伝送に関連付けられ得る）。
【００６８】
図７を参照すると、ダウンリンク電力制御チャネルリソースの使用を介して送信される記号に組み込まれるべきデータの選択を容易にする方法７００が示されている。７０２で、無線端末に関する電力レベルが測定され得る。例えば、無線端末は、測定され得る専用制御チャネル（ＤＣＣＨ）などのアップリンクチャネル上で定期的に送信を行い得る。さらに、基地局セクタに関連付けられているシステム内の任意の数の無線端末について、同様の測定が行われ得る。７０４で、特定の伝送ユニットで検証情報を送信するかどうかに関する決定が行われる。例えば、特定の伝送ユニットが無線端末に割り当てられたＯＮ識別子に関連付けられている伝送ユニットのサブセット内に含まれる場合、方法７００は、７０６に進み得る。７０６で、無線端末を一意に識別する端末識別子からの１ビット（例えばスクランブルマスク）が選択され得る。スクランブルマスクからのビットを使用することによって、検証情報は、無線端末と基地局との間の不一致を軽減するために、ユーザ固有の電力制御情報で符号化され得る。スクランブルマスクからのビットの選択は、スクランブルマスク内のビット位置（ｋ番目のビット位置）を識別するインデックス値に基づき得る。無線端末に割り当てられるスクランブルマスクのｋ番目のビットの値（Ｚｋ）が選択され得る。例えば、スクランブルマスク内のビット位置は、特定の伝送ユニットの関数であり得る。
【００６９】
７０８で、測定された電力レベルに基づく電力コマンドが、同相成分で送信され得る。電力コマンドは、電力コマンドが関連する測定された無線端末に割り当てられるリソースに関連付けられているダウンリンク電力制御セグメントの間に送信され得る。７１０で、スクランブルマスクからのビットは、直交成分で送信され得る。したがって、さらなる検証情報が、こうした情報の対象である無線端末への電力コマンド情報の提供を容易にする電力コマンドと共に提供され得る。
【００７０】
次に８を参照すると、ダウンリンク電力制御チャネルを介して提供される無線端末固有の電力制御情報の評価を容易にする方法８００が示されている。８０２で、無線端末に関連付けられている情報が取得されることが予想されるかどうかに関する決定が実行され得る。例えば、ＯＮ識別子が受信され、かつ／または評価され、このＯＮ識別子は、伝送ユニットの第１の所定のサブセットおよび伝送ユニットの第２の所定のサブセットに関連付けられ得る。こうした情報が予想される場合、方法８００は８０４に進む。８０４で、伝送ユニットの第１のサブセットのうちの少なくとも１つの伝送ユニットで、電力コマンドが受信され得る。例えば、電力コマンドは、第１の成分で受信されてもよい。例えば、第１の成分は、同相（Ｉ）成分（および／または直交（Ｑ）成分）とすることができる。８０６で、伝送ユニットの第２のサブセットのうちの少なくとも１つの伝送ユニットで、無線端末の端末識別子に少なくとも一部分基づいて情報が受信され得る。例えば、情報は、第２の成分で取得され得る。例えば、第２の成分は、直交（Ｑ）成分（および／または同相（Ｉ）成分）とすることができる。したがって、無線端末に関する情報は、受信された変調記号のＱ成分で取得され得る。さらに、無線端末に関する情報は、無線端末に関するスクランブルマスクの一部分とすることができる。
【００７１】
８０８で、無線端末に関する受信された情報が予想される情報と一致するかどうかに関する決定が行われ得る。受信された各値は、対応する予想値と比較され得る。したがって、第２の成分に含まれるスクランブルマスクの一部分は、無線端末によって維持されるスクランブルマスクの一部分により評価され得る。さらに、決定は、ある時間にわたる相違数のしきい値を考慮に入れ得る。例えば、ＮおよびＭが任意の整数値である（および動的に調整され得る）場合、予想値と受信された値とのＮ個の比較がＭ個の測定値と異なる場合、受信された情報は、予想される情報と一致しないと考えられ得る。別の例によれば、スクランブルマスクの各ビットは、別々に評価され得る。したがって、予想されるスクランブルマスクの第１のビットは、第１のビットに対応する受信された情報と比較され得る（例えば、こうした情報は、定期的に取得され得る）。各スクランブルマスクビットを別々に分析することによって、１ビットが十分なレベルの確実性と一致しないと決定された場合、受信された情報が予想される情報と一致しないことが決定される。
【００７２】
受信された情報が予想される情報と一致すると決定された場合、方法８００は、８１０に進む。８１０で、電力レベルが、電力レベルコマンドに従って調整され得る。したがって、電力レベルを増加、低減する、または引き続きあるレベルのままとすることができる。８０８で受信された情報が予想される情報と一致しないと決定された場合、方法８００は、８１２に進む。８１２で、誤り回復が行われ得る。例えば、無線端末は、基地局との接続を中断し得る。さらに、または代わりに、無線端末は、セッションＯＮ状態からセッションＨＯＬＤ状態に移行し得る。こうした移行は、基地局および／または無線端末によって開始されたものであり得ることを理解されたい。
【００７３】
本明細書に記載されている１つまたは複数の態様によれば、ダウンリンク電力制御チャネルリソースと共に使用される電力コマンド情報で符号化された無線端末関連の情報を含め、かつ／または評価することに関する推論を行うことができることを理解されたい。本明細書で使用する場合、「推論する」または「推論」という用語は一般に、イベントおよび／またはデータを介して捕捉された１組の観察結果からシステム、環境、および／またはユーザの状態について推理または推論する過程を指す。例えば、推論を使用して、特定のコンテキストまたはアクションを識別したり、状態にわたる確率分布を生成したりすることができる。推論は、確率的、つまりデータおよびイベントの考慮に基づいた対象の状態にわたる確率分布の計算とすることができる。また、推論は、１組のイベントおよび／またはデータから上位レベルのイベントを構成するために使用される技術を指すことができる。こうした推論によって、複数のイベントが時間的にごく近接して相関しているかどうかにかかわらず、またイベントおよびデータが派生したイベントおよびデータソースが１つであろうと複数であろうと、１組の観察されたイベントおよび／または格納されたイベントデータから新しいイベントまたはアクションが構築される。
【００７４】
一例によれば、上記で示された１つまたは複数の方法は、Ｑ成分に無線端末に関連付けられる情報を含めるべきとき、またはその頻度の選択に関する推論を行うことを含み得る。別の例として、Ｑ成分内の情報が予想される情報と一致するかどうかに関する推論が行われ得る。さらに、Ｑ軸における大量のエネルギーによって明らかなように、受信された記号を信頼できないかどうか、およびしたがって無視するべきかに関する推論を行うことができる。上記の例は、本質的に例であり、行うことができる推論の数、または本明細書に記載されている様々な実施形態および／または方法と共にこうした推論が行われる方法を限定するものではないことを理解されたい。
【００７５】
図９を参照すると、通信リンクによって相互接続される複数のノードを備える、様々な態様に従って実装される通信システム例９００（移動通信網など）が示されている。通信システム例９００におけるノードは、通信プロトコル（例えばインターネットプロトコル（ＩＰ）など）に基づいて信号（メッセージなど）を使用して情報を交換する。システム９００の通信リンクは、例えばワイヤ、光ファイバケーブル、および／または無線通信技術を使用して実装することができる。通信システム例９００は、複数のエンドノード９４４、９４６、９４４’、９４６’、９４４”、９４６”を含み、これらは、複数のアクセスノード９４０、９４０’、および９４０”を介して通信システム９００にアクセスする。エンドノード９４４、９４６、９４４’、９４６’、９４４”、９４６”は、例えば無線通信装置または端末とすることができ、アクセスノード９４０、９４０’、および９４０”は、例えば無線アクセスルータまたは基地局とすることができる。また、通信システム例９００は、相互接続を提供する、または特定のサービスまたは機能を提供するために使用されるいくつかの他のノード９０４、９０６、９０９、９１０、および９１２も含む。具体的には、通信システム例９００は、エンドノードに関する状態の転送および格納をサポートするために使用されるサーバ９０４を含む。サーバノード９０４は、ＡＡＡサーバ、コンテキストトランスファサーバ（Context Transfer Server）、ＡＡＡサーバ機能およびコンテキストトランスファサーバ機能を含むサーバとすることができる。
【００７６】
通信システム例９００は、サーバ９０４、ノード９０６、およびホームエージェントノード（home agent node）９０９を含むネットワーク９０２を示し、これらは、それぞれ対応するネットリンク９０５、９０７、および９０８によって中間ネットワークノード９１０に接続されている。ネットワーク９０２における中間ネットワークノード９１０は、ネットワークリンク９１１を介して、ネットワーク９０２から見て外部のネットワークノードへの相互接続も提供する。ネットワークリンク９１１は、別の中間ネットワークノード９１２に接続され、これは、それぞれネットワークリンク９４１、９４１’、および９４１”を介して複数のアクセスノード９４０、９４０’、および９４０”への接続をさらに提供する。
【００７７】
各アクセスノード９４０、９４０’、および９４０”は、それぞれ対応するアクセスリンク（９４５，９４７）、（９４５’，９４７’）、（９４５”，９４７”）を介して、それぞれ複数のＮ個のエンドノード（９４４，９４６）、（９４４’，９４６’）、（９４４”，９４６”）への接続を提供するものとして示されている。通信システム例９００において、各アクセスノード９４０、９４０’、および９４０”は、アクセスを提供するために無線技術（無線アクセスリンクなど）を使用するものとして示される。各アクセスノード９４０、９４０’、９４０”の無線適用エリア（例えば通信セル９４８、９４８’、および９４８”）はそれぞれ、対応するアクセスノードを囲む円として示されている。
【００７８】
通信システム例９００は、本明細書に記載されている様々な態様の説明の基礎として表される。さらに、異なる様々なネットワーク技術が特許請求された主題の範囲内に含まれるものとし、この場合、ネットワークノードの数およびタイプ、アクセスノードの数およびタイプ、エンドノードの数およびタイプ、サーバおよび他のエージェントの数およびタイプ、リンクの数およびタイプ、およびノード間の相互接続は、図９に示されている通信システム例９００のものと異なっていてよい。さらに、通信システム例１００に示されている機能エンティティは、省略または結合されてもよい。また、ネットワークにおける機能エンティティの位置または配置は、変更されてもよい。
【００７９】
図１０は、様々な態様に関するエンドノード例１０００（移動ノード、無線端末など）を示す。エンドノード例１０００は、図９に示されているエンドノード９４４、９４６、９４４’、９４６’、９４４”、９４６”のうちの任意の１つとして使用され得る装置とすることができる。示されるように、エンドノード１０００は、プロセッサ１００４、無線通信インターフェース１０３０、ユーザ入出力インターフェース１０４０、およびメモリ１０１０を含み、バス１００６によって共に結合されている。したがって、エンドノード１０００の様々な構成要素は、情報、信号、およびデータを、バス１００６を介して交換することができる。エンドノード１０００の構成要素１００４、１００６、１０１０、１０３０、１０４０は、筐体１００２内に配置され得る。
【００８０】
無線通信インターフェース１０３０は、エンドノード１０００の内部構成要素が外部装置およびネットワークノード（アクセスノードなど）との間で信号を送受信することができる機構を提供する。無線通信インターフェース１０３０は、例えば、（例えば無線通信チャネルを介して）エンドノード１０００を他のネットワークノードに結合するために使用される、対応する受信アンテナ１０３６を備える受信機モジュール１０３２、および対応する送信アンテナ１０３８を備える送信機モジュール１０３４を含む。
【００８１】
また、エンドノード例１０００は、ユーザ入力装置１０４２（例えばキーパッド）およびユーザ出力装置１０４４（例えばディスプレイ）も含み、これらは、ユーザ入出力インターフェース１０４０を介してバス１００６に結合される。したがって、ユーザ入力装置１０４２およびユーザ出力装置１０４４は、ユーザ入出力インターフェース１０４０およびバス１００６を介してエンドノード１０００の他の構成要素と情報、信号、およびデータを交換することができる。ユーザ入出力インターフェース１０４０および関連の装置（例えばユーザ入力装置１０４２、ユーザ出力装置１０４４など）は、ユーザが様々なタスクを達成するためにエンドノード１０００を操作することができる機構を提供する。特に、ユーザ入力装置１０４２およびユーザ出力装置１０４４は、ユーザがエンドノード１０００およびエンドノード１０００のメモリ１０１０で実行するアプリケーション（例えばモジュール、プログラム、ルーチン、関数など）を制御することができる機能を提供する。
【００８２】
プロセッサ１００４は、メモリ１０１０に含まれる様々なモジュール（例えばルーチンなど）の制御下にあり、本明細書に記載されている様々なシグナリングおよび処理を行うようエンドノード１０００の操作を制御することができる。メモリ１０１０に含まれているモジュールは、起動時に、または他のモジュールによって呼び出されたときに実行される。モジュールは、実行時にデータ、情報、および信号を交換することができる。また、モジュールは、実行時にデータおよび情報を共有することもできる。エンドノード１０００のメモリ１０１０は、シグナリング／制御モジュール１０１２およびシグナリング／制御データ１０１４を含み得る。
【００８３】
シグナリング／制御モジュール１０１２は、状態情報の格納、取り出し、および処理の管理のための信号（例えばメッセージ）の送受信に関連する処理を制御する。シグナリング／制御データ１０１４は、例えば、パラメータ、状況、および／またはエンドノードの操作に関連する他の情報などの状態情報を含む。特に、シグナリング／制御データ１０１４は、構成情報１０１６（例えば、エンドノード識別情報）および操作情報１０１８（例えば現在の処理状態、保留中の応答の状況についての情報など）を含み得る。シグナリング／制御モジュール１０１２は、シグナリング／制御データ１０１４へのアクセスおよび／または変更（例えば、構成情報１０１６および／または操作情報１０１８の更新など）を行うことができる。
【００８４】
エンドノード１０００のメモリ１０１０は、比較器モジュール１０４６、電力調整器モジュール１０４８、および／または誤りハンドラモジュール１０５０も含み得る。示されていないが、比較器モジュール１０４６、電力調整器モジュール１０４８、および／または誤りハンドラモジュール１０５０は、メモリ１０１０に格納され得る関連のデータを格納し、かつ／または取り出すことができることを理解されたい。比較器モジュール１０４６は、エンドノード１０００に関する受信された情報を評価し、予想される情報との比較を行うことができる。さらに、比較器モジュール１０４６は、図２の検証情報比較器２２０に類似し得る。電力調整器モジュール１０４８は、エンドノード１０００に関する電力レベルの変更を実行することができ、図２の電力調整器２２２に類似し得る。誤りハンドラモジュール１０５０は、比較器モジュール１０４６の使用を介して識別された、識別された誤り状態に応答することができ、図２の誤りハンドラ２２４に類似し得る。
【００８５】
図１１は、本明細書に記載されている様々な態様に従って実装されるアクセスノード例１１００を示す図である。アクセスノード例１１００は、図９に示されているアクセスノード９４０、９４０’、９４０”のうちの任意の１つとして使用される装置とすることができる。アクセスノード１１００は、プロセッサ１１０４、メモリ１１１０、ネットワーク／インターネットワーク（internetwork）インターフェース１１２０、および無線通信インターフェース１１３０を含み、これらはバス１１０６によって共に結合されている。したがって、アクセスノード１１００の様々な構成要素は、情報、信号、およびデータを、バス１１０６を介して交換することができる。アクセスノード１１００の構成要素１１０４、１１０６、１１１０、１１２０、１１３０は、筐体１１０２内に配置され得る。
【００８６】
ネットワーク／インターネットワークインターフェース１１２０は、アクセスノード１１００の内部構成要素が外部装置およびネットワークノードとの間で信号を送受信することができる機構を提供する。ネットワーク／インターネットワークインターフェース１１２０は、（例えば銅線または光ファイバ線を介して）アクセスノード１１００を他のネットワークノードに結合するために使用される受信機モジュール１１２２および送信機モジュール１１２４を含む。また、無線通信インターフェース１１３０は、アクセスノード１１００の内部構成要素が外部装置およびネットワークノード（エンドノードなど）との間で信号を送受信することができる機構も提供する。無線通信インターフェース１１３０は、例えば、対応する受信アンテナ１１３６を備える受信機モジュール１１３２、および対応する送信アンテナ１１３８を備える送信機モジュール１１３４を含む。無線通信インターフェース１１３０は、（例えば無線通信チャネルを介して）アクセスノード１１００を他のネットワークノードに結合するために使用され得る。
【００８７】
メモリ１１１０に含まれる様々なモジュール（ルーチンなど）の制御下にあるプロセッサ１１０４は、様々なシグナリングおよび処理を行うようアクセスノード１１００の操作を制御する。メモリ１１１０に含まれるモジュールは、起動時に、またはメモリ１１１０に存在し得る他のモジュールによって呼び出されたときに実行され得る。モジュールは、実行時にデータ、情報、および信号を交換することができる。また、モジュールは、実行時にデータおよび情報を共有することもできる。一例として、アクセスノード１１００のメモリ１１１０は、状態管理モジュール１１１２およびシグナリング／制御モジュール１１１４を含み得る。これらのモジュールのそれぞれに対応して、メモリ１１１０は、状態管理データ１１１３およびシグナリング／制御データ１１１５も含む。
【００８８】
状態管理モジュール１１１２は、状態の格納および取り出しに関する、エンドノードまたは他のネットワークノードから受信された信号の処理を制御する。状態管理データ１１１３は、例えば、状態または状態の一部、または他の何らかのネットワークノードに格納されている場合、現在のエンドノード状態の位置など、エンドノード関連の情報を含む。状態管理モジュール１１１２は、状態管理データ１１１３へのアクセスおよび／または変更を行うことができる。
【００８９】
シグナリング／制御モジュール１１１４は、必要に応じて、基本的な無線機能、ネットワーク管理などの他の操作のために、無線通信インターフェース１１３０を介したエンドノードとの間の、およびネットワーク／インターネットワークインターフェース１１２０を介した他のネットワークノードとの間の信号の処理を制御する。シグナリング／制御データ１１１５は、例えば、基本的な操作の無線チャネルの割当てに関するエンドノード関連のデータ、およびサポート／管理サーバのアドレス、基本的なネットワーク通信のための構成情報など、他のネットワーク関連のデータを含む。シグナリング／制御モジュール１１１４は、シグナリング／制御データ１１１５へのアクセスおよび／または変更を行うことができる。
【００９０】
メモリ１１１０は、さらに、固有の識別（ＩＤ）割当器モジュール１１４０、ＯＮ識別（ＩＤ）割当器モジュール１１４２、電力コントローラモジュール１１４４、および／または無線端末（ＷＴ）検証器モジュール１１４６を含み得る。固有のＩＤ割当器モジュール１１４０、ＯＮ  ＩＤ割当器モジュール１１４２、電力コントローラモジュール１１４４、および／またはＷＴ検証器モジュール１１４６は、メモリ１１１０に保持されている関連のデータを格納し、かつ／または取り出すことができることを理解されたい。さらに、固有のＩＤ割当器モジュール１１４０は、端末識別子（スクランブルマスクなど）を無線端末に割り当てることができ、上述した固有の識別割当器に類似し得る。ＯＮ  ＩＤ割当器モジュール１１４２は、無線端末がセッションＯＮ状態である間、ＯＮ識別子を無線端末に割り当てることができる。また、ＯＮ  ＩＤ割当器モジュール１１４２は、上述したセッションＯＮ識別割当器に類似し得る。電力コントローラモジュール１１４４は、上述した電力コントローラに類似し、電力制御情報を無線端末に送信することができる。ＷＴ検証器モジュール１１４６は、上述した無線端末検証器に類似し、伝送ユニットに無線端末関連の情報を含めることを可能にし得る。
【００９１】
図１２を参照すると、識別を検証し、無線端末の伝送電力を制御するシステム１２００が示されている。システム１２００は、プロセッサ、ソフトウェア、またはその組合せ（ファームウェアなど）によって実施される機能を表す機能ブロックとすることができる機能ブロックを含むものとして表されていることを理解されたい。システム１２００は、基地局に実装することができ、無線端末にＯＮ識別子を割り当てるための論理モジュール１２０２を含み得る。例えば、ＯＮ識別子は、上述したように、セッションＯＮ  ＩＤとすることができる。さらに、ＯＮ識別子は、伝送ユニットの第１の所定のサブセットおよび伝送ユニットの第２の所定のサブセットに関連付けられ得る。さらに、システム１２００は、伝送ユニットの第１のサブセットのうちの少なくとも１つの伝送ユニットで電力コマンドを送信するための論理モジュール１２０４を備え得る。一例によれば、電力コマンドは、伝送ユニットに関する第１の成分（例えば、同相（Ｉ）成分、直交（Ｑ）成分など）で送信され得る。さらに、システム１２００は、伝送ユニットの第２のサブセットの少なくとも１つの伝送ユニットで、端末識別子に基づいて無線端末に関する情報を送信するための論理モジュール１２０６を含み得る。一例によれば、無線端末関連の情報は、伝送ユニットに関連付けられている第２の成分（Ｑ成分、Ｉ成分など）に含まれ得る。したがって、例えば、電力コマンドおよび無線端末関連の情報は、各タイプのデータの伝送に異なる成分（例えばＩ成分、Ｑ成分）を使用することによって、共通の伝送ユニットで送信され得る。さらに、端末識別子は、スクランブルマスクとすることができる。
【００９２】
次に図１３を参照すると、無線端末の伝送電力の制御を容易にするシステム１３００が示されている。システム１３００は、プロセッサ、ソフトウェア、またはその組合せ（ファームウェアなど）によって実施される機能を表し得る機能ブロックを含むものとして表されている。システム１３００は、無線端末に実装することができ、伝送ユニットの第１の所定のサブセットおよび伝送ユニットの第２の所定のサブセットに関連付けられているＯＮ識別子を取得するための論理モジュール１３０２を含み得る。例えば、ＯＮ識別子は、セッションＯＮ  ＩＤ、アクティブＩＤなどとすることができる。さらに、取得されたＯＮ識別子は、伝送ユニットの第１のサブセット、および／または伝送ユニットの第２のサブセットにマッピングし得る。システム１３００は、伝送ユニットの第１のサブセットのうちの少なくとも１つの伝送ユニットで電力コマンドを受信するための論理モジュール１３０４を含み得る。一例として、電力コマンドは、伝送ユニットに関連付けられている第１の成分（例えばＩ成分、Ｑ成分など）から取得され得る。さらに、システム１３００は、伝送ユニットの第２のサブセットのうちの少なくとも１つの伝送ユニットで、第１の端末識別子に少なくとも一部分基づいて情報を受信するための論理モジュール１３０６を含み得る。例えば、第１の端末識別子は、基地局によって使用される第１のスクランブルマスクとすることができ、受信された情報は、第１のスクランブルマスクからの１つまたは複数のビットとすることができる。受信された情報は、伝送ユニットの第２の成分（例えばＱ成分、Ｉ成分）に含まれ得る。したがって、電力コマンドおよび情報は、例えば共通の伝送ユニットに関連付けられている異なる成分（例えば、Ｉ成分に含まれる電力コマンド、およびＱ成分に含まれる情報、またはその逆）に含まれ得る。システム１３００は、さらに、受信された情報が無線端末に関連する第２の端末識別子に関する予想される情報と相関するかどうかを評価するための論理モジュール１３０８を備え得る。一例によれば、第２の端末識別子は、無線端末を一意に識別する第２のスクランブルマスクとすることができる。さらに、システム１３００は、受信された情報と予想される情報との間の相関がないことを識別すると、誤り回復を実行するための論理モジュール１３１０を含み得る。例えば、誤り回復は、基地局から切断すること、および／またはセッションＯＮからセッションＨＯＬＤに移行することを含み得る。
【００９３】
ソフトウェア実装の場合、本明細書に記載されている技術は、本明細書に記載されている機能を実行するモジュール（プロシージャ、関数など）により実装され得る。ソフトウェアコードは、記憶装置に格納され、プロセッサによって実行され得る。記憶装置は、プロセッサの内部または外部に実装されてもよく、この場合、これは、当業者に知られている様々な手段を介してプロセッサに通信可能に結合され得る。
【００９４】
上記で説明してきたことは、１つまたは複数の実施形態の例を含む。当然、上述した実施形態を説明するために構成要素または方法の予想されるすべての組合せについて説明することは不可能であるが、様々な実施形態の他の多くの組合せおよび置換えが可能であることを当業者であれば理解できよう。したがって、記載した実施形態は、添付の特許請求の範囲の意向および範囲に含まれるすべての代替形態、変更形態、および変形形態を含むものとする。さらに、「含む」という用語が詳細な説明または特許請求の範囲で使用されている限り、こうした用語は、請求項で移行語として使用されるときに「備える」が解釈される「備える」という用語と同じように包含的であるものとする。
【図１】
2009544238.tif 000003
【図２】
2009544238.tif 000004
【図３】
2009544238.tif 000005
【図４】
2009544238.tif 000006
【図５】
2009544238.tif 000007
【図６】
2009544238.tif 000008
【図７】
2009544238.tif 000009
【図８】
2009544238.tif 000010
【図９】
2009544238.tif 000011
【図１０】
2009544238.tif 000012
【図１１】
2009544238.tif 000013
【図１２】
2009544238.tif 000014
【図１３】
2009544238.tif 000015
【国際調査報告】
2009544238.tif 000016
2009544238.tif 000017